(57)【要約】【解決手段】三次元（３Ｄ）画像を鑑賞するためのアイウェアが開示される。一部の実施形態では、アイウェアは、円偏光フィルタを含むレンズを含むことができる。右レンズは、第１の方向に円偏光された光をブロックすることができ、左レンズは、逆の第２の方向に円偏光された光をブロックすることができる。円偏光フィルタは、接着剤の使用によって、又は積層によって、レンズボディの表面（例えば前面）に付けることができる。レンズは、球、円柱、又は別の幾何学的形状に適合する１つ又は２つ以上の表面を有することができる。一部の実施形態では、円偏光フィルタを適用されるレンズの表面は、円柱形である。一部の実施形態では、レンズは、レンズの光学的矯正を提供するために、先細った厚さを有することができる。【選択図】図７Ｂ
2013518301.tif 000002
【特許請求の範囲】
【請求項１】
３Ｄアイウェアのためのレンズブランクを形成する方法であって、
実質的に水平な軸に沿って湾曲し尚且つ実質的に垂直な軸に沿って実質的に直線状である表面を含むレンズブランクボディを提供することと、
前記レンズブランクボディにハードコートを施すことと、
前記ハードコートを熱硬化させることと、
前記レンズブランクボディの前記表面にコロナ処理を施すことと、
４分の１波長板と、透過軸を含む直線偏光子とを含む円偏光膜を提供することと、
前記直線偏光子の偏光効率が前記レンズブランクボディの湾曲によって大幅に低下されることがないように、前記透過軸が前記レンズブランクボディの前記実質的に垂直な軸に実質的に平行に方向付けられるように、前記レンズブランクボディの前記表面に前記円偏光膜を積層させることと、
を備える方法。
【請求項２】
請求項１に記載の方法であって、更に、
前記円偏光膜を上に積層された前記レンズブランクボディを圧力ポットに入れることと、
前記圧力ポットを使用して、前記レンズブランクボディ及び前記円偏光膜に圧力を加えることと、
を備える方法。
【請求項３】
請求項２に記載の方法であって、
前記圧力は、約５０ｐｓｉから約１００ｐｓｉまでの間である、方法。
【請求項４】
請求項１に記載の方法であって、更に、
前記レンズブランクボディ及びその上に積層された前記円偏光膜をカットして、斜めに切られた縁を有する少なくとも１枚のレンズを形成することを備える方法。
【請求項５】
請求項１に記載の方法であって、更に、
前記レンズブランクボディ及びその上に積層された前記円偏光膜をカットして、第１のレンズ及び第２のレンズを形成することを備え、前記第１及び第２のレンズは、ともに、右レンズとして使用されるように構成され、前記第１及び第２のレンズがカットされるときに、前記第２のレンズの向きは、前記第１のレンズの向きから約１８０°ずらされる、方法。
【請求項６】
請求項５に記載の方法であって、
前記レンズブランクボディは、非一様な厚さと、前記実質的に垂直な軸に実質的に平行な対称軸とを有し、前記第１のレンズの中心点は、前記対称軸の第１の側に位置決めされ、前記第２のレンズの中心点は、前記対称軸の第２の側に位置決めされ、前記第１及び第２のレンズの前記中心点は、前記第１及び第２のレンズが実質的に同じ先細った厚さを有するように、前記対称軸から実質的に等距離にある、方法。
【請求項７】
請求項１に記載の方法であって、
前記レンズブランクボディは、射出成形によって形成される、方法。
【請求項８】
請求項１に記載の方法であって、
前記ハードコートは、ポリシロキサンを含む、方法。
【請求項９】
請求項１に記載の方法であって、
前記レンズブランクボディは、前面及び後面を含み、前記円偏光膜は、前記レンズブランクボディの前記前面に積層される、方法。
【請求項１０】
請求項９に記載の方法であって、更に、
前記レンズブランクボディ及び前記円偏光膜をカットして、レンズを形成することと、
前記レンズをアイウェアフレームに取り付けることと、
を備え、前記円偏光膜は、３Ｄ鑑賞中に画像の光が前記レンズのその他のどの層よりも先に前記円偏光膜にぶつかるように、前記レンズの最前方の層である、方法。
【請求項１１】
請求項１に記載の方法であって、
前記レンズブランクボディは、ＵＶ遮断添加剤を含まない、方法。
【請求項１２】
請求項１に記載の方法であって、
前記レンズブランクボディは、前面及び後面を含み、前記前面は、第１の中心を有する前方円柱の表面に適合し、前記後面は、第２の中心を有する後方円柱の表面に適合し、前記第２の中心は、前記レンズブランクボディの厚さが前記実質的に水平な軸に沿って先細るように、前記第１の中心からずらされている、方法。
【請求項１３】
請求項１２に記載の方法であって、更に、
前記レンズブランクボディから少なくとも１枚のレンズをカットすることであって、前記第１の中心と前記第２の中心との間に引かれた線は、前記レンズのための光学的中心線を提供する、ことと、
着用者の視線が前記光学的中心線に実質的に平行になるように尚且つ前記着用者の前記視線が前記光学的中心線からずれるように前記レンズが位置決めされるように、前記レンズをアイウェアフレームに取り付けることと、
を備える方法。
【請求項１４】
請求項１に記載の方法であって、
前記実質的に水平な軸に沿った湾曲は、実質的に一様な曲率半径を有する、方法。
【請求項１５】
請求項１に記載の方法であって、
前記実質的に水平な軸に沿った湾曲は、実質的に非一様な曲率半径を有する、方法。
【請求項１６】
３Ｄアイウェアに使用するためのレンズであって、
第１の軸に沿って湾曲され尚且つ第２の軸に沿って実質的に直線状である表面を有するレンズボディと、
前記レンズボディの前記表面に付けられた円偏光子と、
備えるレンズ。
【請求項１７】
請求項１６に記載のレンズであって、
前記第２の軸は、前記第１の軸から約９０°ずれている、レンズ。
【請求項１８】
請求項１６に記載のレンズであって、
前記円偏光子は、４分の１波長板と、直線偏光子とを含む、レンズ。
【請求項１９】
請求項１８に記載のレンズであって、
前記直線偏光子は、透過軸を有し、前記透過軸は、前記レンズボディの前記第２の軸に実質的に平行に方向付けられる、レンズ。
【請求項２０】
請求項１６に記載のレンズであって、更に、
前記レンズボディと前記円偏光膜との間に配されるハードコートを備えるレンズ。
【請求項２１】
請求項２０に記載のレンズであって、
前記ハードコートは、熱硬化されたポリシロキサンを含む、レンズ。
【請求項２２】
請求項２０に記載のレンズであって、
前記円偏光子は、前記ハードコートと前記円偏光子との間に配される接着剤によって前記ハードコートに積層される、レンズ。
【請求項２３】
請求項２２に記載のレンズであって、
前記ハードコートは、積層前に前記ハードコートの表面張力を引き下げるために、コロナ放電によって処理される、レンズ。
【請求項２４】
請求項１６に記載のレンズであって、
前記レンズボディは、ＵＶ遮断添加剤を含まない、レンズ。
【請求項２５】
請求項１６に記載のレンズであって、
前記レンズボディは、射出成形されたレンズボディである、レンズ。
【請求項２６】
請求項１６に記載のレンズであって、
前記レンズボディは、前面及び後面を含み、前記円偏光子は、前記レンズボディの前記前面に付けられる、レンズ。
【請求項２７】
請求項２６に記載のレンズであって、
前記円偏光子は、３Ｄ鑑賞中に画像の光が前記レンズのその他のどの層よりも先に前記円偏光子にぶつかるように、前記レンズの最前方の層である、レンズ。
【請求項２８】
請求項１６に記載のレンズであって、
前記レンズボディは、前面及び後面を含み、前記前面は、第１の中心を有する前方円柱の表面に適合し、前記後面は、第２の中心を有する後方円柱の表面に適合し、前記第２の中心は、前記レンズボディの厚さが前記第１の軸に沿って先細るように、前記第１の中心からずらされている、レンズ。
【請求項２９】
請求項１６に記載のレンズであって、更に、
前記レンズを支えるアイウェアフレームを備え、前記第１の中心と前記第２の中心との間に引かれた線は、前記レンズのための光学的中心線を提供し、前記レンズは、着用者の視線が前記光学的中心線に実質的に平行になるように尚且つ前記着用者の前記視線が前記光学的中心線からずれるように、前記アイウェアフレームにおいて位置決めされる、レンズ。
【請求項３０】
請求項１６に記載のレンズであって、
前記第１の軸に沿った湾曲は、実質的に一様な曲率半径を有する、レンズ。
【請求項３１】
請求項１６に記載のレンズであって、
前記第１の軸に沿った湾曲は、実質的に非一様な曲率半径を有する、レンズ。
【請求項３２】
レンズを形成する方法であって、
第１の軸に沿って湾曲し尚且つ第２の軸に沿って実質的に直線状であるレンズボディを提供することと、
４分の１波長板と、直線偏光子とを含む円偏光膜を提供することと、
前記円偏光膜を前記レンズブランクボディの前記表面に積層させることと、
を備える方法。
【請求項３３】
請求項３２に記載の方法であって、
前記直線偏光子は、前記直線偏光子がその透過軸に沿って実質的に湾曲されないように前記レンズブランクボディの前記第２の軸に実質的に平行に方向付けられた透過軸を含む、方法。
【請求項３４】
請求項３２に記載の方法であって、更に、
前記レンズブランクボディにハードコートを施すことと、
前記ハードコートを熱硬化させることと、
を備え、前記円偏光膜は、接着剤を使用して前記ハードコートに積層される、方法。
【請求項３５】
請求項３２に記載の方法であって、更に、
積層前に前記レンズブランクボディの前記表面にコロナ処理を施すことを備える方法。
【請求項３６】
請求項３２に記載の方法であって、更に、
前記円偏光膜を上に積層された前記レンズブランクボディを圧力ポットに入れることと、
前記圧力ポットを使用して、前記レンズブランクボディ及び前記円偏光膜に圧力を加えることと、
を備える方法。
【請求項３７】
請求項３６に記載の方法であって、
前記圧力は、約５０ｐｓｉから約１００ｐｓｉまでの間である、方法。
【請求項３８】
請求項３２に記載の方法であって、更に、
前記レンズブランクボディ及びその上に積層された前記円偏光膜をカットして、斜めに切られた縁を有する少なくとも１枚のレンズを形成することを備える方法。
【請求項３９】
請求項３２に記載の方法であって、更に、
前記レンズブランクボディ及びその上に積層された前記円偏光膜をカットして、第１のレンズ及び第２のレンズを形成することを備え、前記第１及び第２のレンズは、ともに、右レンズとして使用されるように構成され、前記第１及び第２のレンズがカットされるときに、前記第２のレンズの向きは、前記第１のレンズの向きから約１８０°ずらされる、方法。
【請求項４０】
請求項３９に記載の方法であって、
前記レンズブランクボディは、非一様な厚さと、前記第２の軸に実質的に平行な対称軸とを有し、前記第１のレンズの中心点は、前記対称軸の第１の側に位置決めされ、前記第２のレンズの中心点は、前記対称軸の第２の側に位置決めされ、前記第１及び第２のレンズの前記中心点は、前記第１及び第２のレンズが実質的に同じ先細った厚さを有するように、前記対称軸から実質的に等距離にある、方法。
【請求項４１】
請求項３２に記載の方法であって、
前記レンズブランクボディは、射出成形によって形成される、方法。
【請求項４２】
請求項３２に記載の方法であって、
前記レンズブランクボディは、前面及び後面を含み、前記円偏光膜は、前記レンズブランクボディの前記前面に積層される、方法。
【請求項４３】
請求項４２に記載の方法であって、更に、
前記レンズブランクボディ及び前記円偏光膜をカットして、レンズを形成することと、
前記レンズをアイウェアフレームに取り付けることと、
を備え、前記円偏光膜は、３Ｄ鑑賞中に画像の光が前記レンズのその他のどの層よりも先に前記円偏光膜にぶつかるように、前記レンズの最前方の層である、方法。
【請求項４４】
請求項３２に記載の方法であって、
前記レンズブランクボディは、前面及び後面を含み、前記前面は、第１の中心を有する前方円柱の表面に適合し、前記後面は、第２の中心を有する後方円柱の表面に適合し、前記第２の中心は、前記レンズブランクボディの厚さが前記第１の軸に沿って先細るように、前記第１の中心からずらされている、方法。
【請求項４５】
請求項４４に記載の方法であって、更に、
前記レンズブランクボディから少なくとも１枚のレンズをカットすることであって、前記第１の中心と前記第２の中心との間に引かれた線は、前記レンズのための光学的中心線を提供する、ことと、
着用者の視線が前記光学的中心線に実質的に平行になるように尚且つ前記着用者の前記視線が前記光学的中心線からずれるように前記レンズが位置決めされるように、前記レンズをアイウェアフレームに取り付けることと、
を備える方法。
【請求項４６】
請求項３２に記載の方法であって、
前記第１の軸に沿った湾曲は、実質的に一様な曲率半径を有する、方法。
【請求項４７】
請求項３２に記載の方法であって、
前記第１の軸に沿った湾曲は、実質的に非一様な曲率半径を有する、方法。
【発明の詳細な説明】
【関連出願への相互参照】
【０００１】
本出願は、米国特許法第１１９条（ｅ）に基づいて、２０１０年１月２２日に出願され「OPTICALLY CORRECTED 3D LENS FOR EYEGLASSES（メガネのための光学的に矯正された３Ｄレンズ）」と題された米国仮特許出願第６１／２９７，５９７号（代理人整理番号第ＯＡＫＬＹ１．３２９ＰＲ）の優先権を主張する。該出願は、参照によってその全体を本明細書に組み込まれ、本明細書の一部を成している。
＜技術分野＞
【０００２】
本発明は、総じて、アイウェアに使用される３Ｄレンズに関し、特に、円偏光をブロックするように構成されたフィルタを含む湾曲３Ｄレンズに関する。
＜背景技術＞
【０００３】
特殊なレンズを伴ったアイウェアは、着用者に三次元（３Ｄ）画像を見せるために、特殊な二次元画像と併せて使用することができる。現行の３Ｄアイウェアは、安い材料で作成されるのが一般的である。従来の３Ｄアイウェアフレームは、紙又は薄いプラスチックで作成されることが多く、従来の３Ｄレンズは、概ね平面状である。比較的安価であることに加えて、平面レンズは、真っ直ぐ見ているときの着用者の視線が、レンズ表面を直交してレンズの後方表面を突っ切るのが一般的であり、それゆえに、歪みがほとんどないという利点を有する。
【０００４】
しかしながら、平面レンズは、幾つかの不利点を有する。平面レンズを使用したメガネは、着用者の周辺視野のかなりの部分を覆われないままにし、周辺光を着用者の眼に直接到達させてしまう。平面レンズを有する３Ｄメガネは、着用者の頭部の形状に上手く適合することができず、それゆえに、（例えば映画中など）短時間着用されるときですら不快感をもたらすことが多い。平面レンズは、また、美観上の理由でも望ましくない。
【０００５】
したがって、光学的歪みを最小限に抑えられるような、３Ｄアイウェアに使用するための湾曲レンズが必要とされている。
＜実施例の概要＞
【０００６】
非限定的な例として、３Ｄアイウェアのためのレンズブランクを形成する方法が開示される。該方法は、実質的に水平な軸に沿って湾曲し尚且つ実質的に垂直な軸に沿って実質的に直線状である表面を有するレンズブランクボディを提供することと、該レンズブランクボディにハードコートを施すことと、該ハードコートを熱硬化させることと、レンズブランクボディの表面にコロナ処理を施すことと、４分の１波長板及び直線偏光子を含む円偏光膜を提供することとを含むことができる。直線偏光子は、透過軸を含むことができる。方法は、更に、直線偏光子の偏光効率がレンズブランクボディの湾曲によって大幅に低下されることがないように、透過軸がレンズブランクボディの実質的に垂直な軸に実質的に平行に方向付けられるように、レンズブランクボディの表面に円偏光膜を積層させることを含むことができる。レンズブランクボディは、射出成形によって形成することができる。
【０００７】
方法は、更に、円偏光膜を上に積層されたレンズブランクボディを圧力ポットに入れることと、該圧力ポットからレンズブランクボディ及び円偏光膜に圧力を加えることとを含む。
【０００８】
方法は、更に、レンズブランクボディ及びその上に積層された円偏光膜をカットして、
第１のレンズ及び第２のレンズを形成することを含むことができる。第１及び第２のレンズは、ともに、右レンズとして使用されるように構成することができ、第１及び第２のレンズがカットされるときに、第２のレンズの向きは、第１のレンズの向きから約１８０°ずらすことができる。レンズブランクボディは、非一様な厚さと、実質的に垂直な軸に実質的に平行な対称軸とを有することができる。第１のレンズの中心点は、対称軸の第１の側に位置決めすることができ、第２のレンズの中心点は、対称軸の第２の側に位置決めすることができ、第１及び第２のレンズの中心点は、第１及び第２のレンズが実質的に同じ先細った厚さを有するように、対称軸から実質的に等距離にあることができる。
【０００９】
レンズブランクボディは、前面及び後面を含むことができ、円偏光膜は、レンズブランクボディの前面に積層させることができる。方法は、更に、レンズブランクボディ及び円偏光膜をカットして、レンズを形成することと、該レンズをアイウェアフレームに取り付けることと、を含むことができる。円偏光膜は、３Ｄ鑑賞中に画像の光がレンズのその他のどの層よりも先に円偏光膜にぶつかるように、レンズの最前方の層であることができる。
【００１０】
レンズブランクボディは、前面及び後面を含むことができ、前面は、第１の中心を有する前方円柱の表面に適合することができ、後面は、第２の中心を有する後方円柱の表面に適合することができる。第２の中心は、レンズブランクボディの厚さが実質的に水平な軸に沿って先細るように、第１の中心からずらすことができる。方法は、更に、レンズブランクボディから少なくとも１枚のレンズをカットすることを含むことができる。第１の中心と第２の中心との間に引かれた線は、レンズのための光学的中心線を提供することができる。方法は、更に、着用者の視線が光学的中心線に実質的に平行になるように尚且つ着用者の視線が光学的中心線からずれるようにレンズが位置決めされるように、レンズをアイウェアフレームに取り付けることを含むことができる。
【００１１】
３Ｄアイウェアに使用するためのレンズが開示される。レンズは、第１の軸に沿って湾曲し尚且つ第２の軸に沿って実質的に直線状である表面を有するレンズボディと、該レンズボディの表面に付けられた円偏光子とを含むことができる。円偏光子は、４分の１波長板と、直線偏光子とを含むことができる。直線偏光子は、透過軸を有することができ、該透過軸は、レンズボディの第２の軸に実質的に平行に方向付けられる。
【００１２】
レンズを形成する方法が開示される。方法は、第１の軸に沿って湾曲し尚且つ第２の軸に沿って実質的に直線状であるレンズボディを提供することと、４分の１波長板と、直線偏光子とを含む円偏光膜を提供することと、該円偏光膜をレンズブランクボディの表面に積層させることとを含むことができる。直線偏光子は、直線偏光子がその透過軸に沿って実質的に湾曲されないようにレンズブランクボディの第２の軸に実質的に平行に方向付けられた透過軸を含むことができる。
【図面の簡単な説明】
【００１３】
【図１】先細った矯正レンズを組み入れた３Ｄアイウェアの斜視図である。
【図２Ａ】図１の３Ｄアイウェアを線２Ａ−２Ａに沿って見た断面図である。
【図２Ｂ】図１の３Ｄアイウェアの円柱形レンズの実装形態を線２Ｂ−２Ｂに沿って見た断面図である。
【図３】デュアルレンズ３Ｄアイウェアシステムのための先細っていないレンズを図解した水平断面図である。
【図４】デュアルレンズ３Ｄアイウェアシステムのための先細ったレンズを図解した水平断面図である。
【図５】図２のような断面図であり、より大きいベース曲率を有する先細った矯正円柱形レンズを示している。
【図６】球の表面の一部分に適合しているレンズブランクの斜視図であり、ブランクからカットされるべきレンズプロフィールを示している。
【図７Ａ】図６の、中空で且つ壁が先細った球形、レンズブランク、及びレンズの切り取り斜視図である。
【図７Ｂ】中空で且つ壁が先細った円柱形の表面の一部分に適合しているレンズブランク、及び該ブランクからカットされるべきレンズプロフィールの切り取り斜視図である。
【図８Ａ】垂直面内において湾曲している３Ｄアイウェアのためのレンズの垂直断面図である。
【図８Ｂ】３Ｄアイウェアのための先細ったレンズの水平断面図である。
【図９】着用者との関係において高いラップを示しているレンズの上面図である。
【図１０Ａ】構成、及び着用者に相対的な向きが様々なレンズの右側面図である。下方レークを有するように構成及び向きを決められたレンズのプロフィールを示した図である。
【図１０Ｂ】構成、及び着用者に相対的な向きが様々なレンズの右側面図である。レークを伴わずに垂直方向中央の向きにされたレンズのプロフィールを示した図である。
【図１０Ｃ】構成、及び着用者に相対的な向きが様々なレンズの右側面図である。下方レークを示してはいるが、真っ直ぐな視線に対するプリズム歪みを最小限に抑えられるような構成及び向きではないレンズを示した図である。
【図１１】アイウェアフレームにおける所望の向きからレンズブランクへの、レンズの水平プロフィールの投射を図解した図である。
【図１１Ａ】アイウェアフレームにおける所望の向きからレンズブランクへの、レンズの垂直プロフィールの投射を図解した図である。
【図１２】図６の右レンズ及びレンズブランクの前部（凸表面）を、ブランクの機械的中心線がページに垂直に突き出すように回転させて示した上面図である。
【図１２Ａ】図１２と同様の上面図であり、同様な形状のレンズブランクのどの位置から左レンズをカットすることができたかを更に示している。
【図１３】３Ｄアイウェアに使用するための多層レンズの一例を図解した図である。
【図１４】３Ｄアイウェアに使用するための多層レンズの別の一例を図解した図である。
【図１５】３Ｄアイウェアに使用するための多層レンズの別の一例を図解した図である。
【図１６】図１３のレンズを含む３Ｄアイウェアを形成するプロセスの一例を示したフローチャートである。
【図１７Ａ】円柱形レンズブランクボディの一例を示した斜視図である。
【図１７Ｂ】図１７Ａのレンズブランクボディの断面図である。
【図１８Ａ】コロナ処理システムの一例を示した図である。
【図１８Ｂ】図１８Ａのコロナ処理システムの一部分の部分拡大図である。
【図１８Ｃ】図１８Ａのコロナ処理システムの一部分の別の部分拡大図である。
【図１９】積層システムの一例を示した図である。
【図２０】円柱形の表面を有するレンズブランクの一例と、該レンズブランクからレンズをカットするべき場所とを示した図である。
【図２１】円柱形の表面を有するレンズブランクの別の一例と、該レンズブランクからレンズをカットするべき場所とを示した図である。
【００１４】
＜詳細な説明＞
一部の実施形態は、「円柱形」又は「球形」の前面及び後面（それぞれ円柱又は球の表面の一部分に実質的に適合する表面）を有するレンズの観点から以下で論じられるが、当業者にならば、一部の実施形態では、異なる幾何学的形状の表面を有するレンズが使用されてもよいことが理解される。また、本明細書で例として挙げられるもの以外に、正面か
ら見た形状及び着用時の位置における向きが様々なレンズが使用されてもよいことが理解される。具体的には、いずれか一方のレンズの前面又は後面が、ドーナツ形又はその他の非球形の幾何学的形状の表面に適合することが可能である。
【００１５】
図１及び図２Ａ〜Ｂを参照すると、これらの図には、第１及び第２の湾曲レンズ１２、１４を有する３Ｄアイウェア１０が示されている。図１は、３Ｄアイウェア１０の斜視図である。図２Ａは、線２Ａ−２Ａを通る水平面に沿って見た３Ｄアイウェア１０の断面図である。図２Ｂは、線２Ｂ−２Ｂを通る垂直面に沿って見た３Ｄアイウェア１０の断面図である。図１及び図２Ａ〜Ｂに示された実施形態は、メガネデザインの一例に組み込まれた３Ｄレンズ１２、１４を示しており、本明細書の開示内容に基づいて明らかになるように、その他の様々な形状及び構成のレンズ及びフレームを使用することが可能である。連続リムを有する取り付けフレーム１６は、必須の特徴ではなく、リムは、レンズ１２、１４の（１つ若しくは２つ以上の）底縁のみ、上縁のみ、又は例示のようにレンズ全体を囲んでいることが可能である。或いは、フレーム１６は、当業者にならば明白なように、レンズのその他の部分を囲むことができる。また、フレーム無しのメガネを使用することも可能である。
【００１６】
１対のテンプル２０、２２が、フレーム１６に枢動式に装着される。或いは、テンプル２０、２２は、レンズ１２、１４に直接装着されてもよい。フレームは、当該分野でよく知られた金属、複合物、又は比較的硬い成形熱可塑性プラスチック材料などの様々な材料の任意を含んでよく、透明、又は様々な色の任意であってよい。当該分野では、射出成形、機械加工、及びその他の作成技術がよく知られている。
【００１７】
図１及び図２に示された実施形態では、レンズ１２、１４は、円柱形である。図２Ａからわかるように、レンズ１２、１４は、水平軸に沿って湾曲している。レンズ１２、１４は、水平軸に沿って先細った厚さを有することができ、本明細書で説明されるように、光学的矯正のために偏心させることができる。図２Ｂからわかるように、レンズ１２、１４は、垂直軸に沿って実質的に直線状である（湾曲していない）ことが可能である。
【００１８】
レンズ１２、１４は、着用者が（１つ又は一連の）特殊な二次元画像を鑑賞するときに三次元画像を見せるように構成される。三次元画像は、円偏光の使用を通じて生成することができる。レンズ１２、１４は、逆向きに偏光された円偏光をブロックするように構成された円偏光子を含むことができる。例えば、１つの実施形態では、右レンズ１４が、右回りに円偏光された光が右レンズ１４を通るのを許可するように構成された円偏光子を含むことができる一方で、左レンズ１２は、左回りに円偏光された光が左レンズ１２を通るのを許可するように構成された円偏光子を含むことができる。右眼画像は、右回りに偏光された光によって生成され、左眼画像は、左回りに偏光された光によって生成される。三次元画像は、右眼画像と左眼画像とを重ね合わせることによって、又はそれらを順次迅速に表示することによって生成することができる。
【００１９】
円偏光子は、直線偏光子を、直線偏光子の透過軸から約４５°ずらされた速軸を有する４分の１波長板と組み合わせることによって作成することができる。一方向への約４５°のずれは、右回りの円偏光子を生み出し、もう一方向への約４５°のずれは、左回りの円偏光子を生み出す。円偏光子という用語は、完全に円偏光された光をフィルタリングする偏光子はもちろん、幾分楕円偏光された光をフィルタリングする偏光子も含むことを意図される。例えば、本明細書で使用される４分の１波長板という用語は、４分の１波長位相シフト、又は３Ｄ鑑賞に有効であるのに十分に４分の１波長位相シフトに近い位相シフトを生じる波長板を含むことを意図される。また、円偏光子は、直線偏光子を、直線偏光子の透過軸から約３０°から約６０°、又はより好ましくは約４０°から約５０°、又は最も好ましくは約４５°ずらされた速軸を有する４分の１波長板と組み合わせることによっ
て作成することもできる。
【００２０】
円偏光レンズは、直線偏光レンズよりも高価で且つ複雑であるけれども、円偏光の使用は、直線偏光の使用に勝る幾つかの利点を提供する。第１に、直線偏光レンズを使用して三次元画像を鑑賞するとき、着用者が頭部を傾けると、このようなレンズの偏光角がその意図する偏光の向きからずれるゆえに、画像の完全性が損なわれることがある。これに対して、円偏光レンズを使用するときは、円偏光子の傾きがその偏光に影響を及ぼすことはないゆえに、ユーザは、歪みを引き起こすことなく頭部を傾けることができる。例えば、時計回り（右回り）の円偏光子は、回転されたときでも時計回りの向きを維持する。第２に、直線偏光の角度が異なるレンズを有するアイウェアを着用するとき、着用者は、右眼と左眼との間で非一様な見え方を経験することがある。非一様な見え方は、方向感覚を失わせ、頭痛を引き起こす恐れがある。円偏光レンズは、上記のような非一様な見え方の問題を生じにくい。着用者は、円偏光によって見せられたものを鑑賞しているときに、非一様な見え方を経験するかもしれないが、円偏光によるこのような見え方は、稀である。
【００２１】
一部の実施形態では、レンズ１２、１４は、偏光又はその他の３Ｄ機能の層に追加で可変の光減衰を提供するように構成される。例えば、レンズ１２、１４は、明るい光のなかでは暗くなり微光環境では弱くなるフォトクロミック組成を含むことができる。このような組成には、例えば、非限定例として、銀、銅、及びハロゲン化カドミウムがある。レンズのためのフォトクロミック組成は、各々参照によってその全体を本明細書に明示的に組み込まれる米国特許第６，３１２，８１１号、第５，６５８，５０２号、及び第４，５３７，６１２号に開示されている。フォトクロミックレンズは、したがって、映画館などの微光環境で三次元画像を鑑賞しているときは、比較的少ない光減衰を提供し、戸外で着用するなど明るい光のなかで使用されているときは、自動的に光減衰を増加させるだろう。したがって、一部の実施形態では、アイウェア１０は、３Ｄ鑑賞及び通常の戸外使用の両方で使用することができる。
【００２２】
その他の実施形態では、レンズ１２、１４は、可変の光減衰を提供するように構成された二色性色素のゲスト−ホスト装置を追加で含むことができる。例えば、レンズ１２、１４は、導電層、配向層、及び好ましくは表面不活性化層をコーティングされた、相隔たれた基板を含むことができる。基板の間には、ホスト材料及び光吸収二色性色素ゲストを含むゲスト−ホスト溶液である。電力回路が、フレーム１６によって支持される。電力回路は、導電層に接続された電源を伴っている。電源の調節は、ホスト材料の配向を変化させ、該変化は、二色性色素の配向を変化させる。光は、二色性色素によって、その配向に応じて吸収され、そうして、着用者によって手動で調節可能な可変の光減衰を提供する。このような二色背色素のゲスト−ホスト装置は、参照によってその全体を本明細書に明示的に組み込まれる米国特許第６，２３９，７７８号に開示されている。
【００２３】
一部の実施形態では、レンズ１２、１４は、着用者の眼に見せられる光の色を修正するための色調整を提供するように構成することができる。例えば、レンズ１２、１４は、様々な波長における光の透過特性を向上又は抑制して着用者の知覚に影響を及ぼすための、三色性要素又はその他の透過プロフィール修正要素を含むことができる。アイウェア１０は、太陽光からの保護よりも、むしろ、３Ｄ鑑賞（例えば映画館での３Ｄ映画中など）に使用されるだろう。したがって、一部の実施形態では、レンズ１２、１４は、変わらない明るい３Ｄ画像を着用者に見せられるように、透過プロフィール修正要素、光減衰色素、ＵＶ遮断添加剤、又はフォトクロミック特徴を含んでいない。
【００２４】
３Ｄアイウェア１０のためのレンズ１２、１４は、様々なプロセスで製造することができる。例えば、射出成形されたレンズブランクボディに、円偏光子（例えば円偏光膜）を施す（例えば、接着する、積層させる、コーティングする）ことができ、結果得られたレ
ンズブランクから、レンズ１２、１４のうちの１枚をカットすることができる。一部の実施形態では、右レンズと左レンズとが、異なる向きの円偏光子を含むゆえに、右レンズは、左レンズとは別のレンズブランクからカットされる。一部の実施形態では、右レンズ及び左レンズの形状は、互いの鏡像であるので、以下の議論の大半では、一般に、右レンズのみが説明される。予備成形されたレンズブランクからレンズをカットする方法を説明するにあたり、左レンズが右レンズとどのように異なるかは、着用時のレンズの向きに応じて選択されるレーク及びラップの程度に関係している。或いは、レンズボディは、成形後のカット工程の必要性を排除するために、その最終的な形状及び大きさに直接成形することができ、円偏光子は、その成形されたレンズボディに施すことができる。いずれの場合も、レンズは、所望の結果に応じてレンズの幾何学的形状を修正する成形後プロセスに通すことができる。例えば、レンズの後面は、レンズの倍率、プリズム、円柱、又はその他の光学的性質に影響を及ぼすために、磨く、すなわち研磨することができる。一部の実施形態では、レンズ１２、１４は、屈折力を有することができ、近視又は遠視を矯正するように構成された度付きレンズであることができる。レンズ１２、１４は、乱視を矯正するために、円柱特性を有することができる。
【００２５】
図２Ａを参照すると、レンズ１４は、水平面内において、内側縁２４から着用者の視界の少なくとも一部分を経て外側縁２６に至る概ね弓形の形状によって特徴付けられる。デュアルレンズシステムにおける内側縁２４から外側縁２６までのレンズの弧長は、一般に、約１と２分の１インチ（およそ３．８センチ）から約３と２分の１インチ（およそ８．９センチ）までの範囲内であり、約２インチ（およそ５．１センチ）から約３インチ（およそ７．６センチ）までの範囲内であることも可能である。一部の実施形態では、レンズの弧長は、約２と８分の３インチ（およそ６．０センチ）である。
【００２６】
レンズ１２、１４の外表面は、共通の円３１上に位置するものとして図示されているように見えるが、ラップが高いメガネでは、右レンズ及び左レンズは、各レンズの内側縁が円３１外に外れて外側縁が円３１内に入るように、傾斜されているのが一般的である。レンズのこのような傾斜は、角度θ（図２）を増加させ、本明細書で説明される光学的矯正の望ましさを向上させる。
【００２７】
着用されるときに、レンズ１４は、少なくとも、着用者の正常な真っ直ぐな視線２７を跨ぐことが望ましく、着用者の周辺視野ゾーンにまで及ぶことができる。本明細書で使用される着用者の正常な視線とは、例えば図９及び図１０Ａ〜Ｃにおいて線１３０によって示されるように、垂直面内又は水平面内のいずれにおいても角度的な逸脱を実質的に伴うことなく着用者の眼から真っ直ぐに出ている線を言う。
【００２８】
レンズ１４は、前方表面２８と、後方表面３０と、それらの間の、水平方向に沿って可変である厚さとを提供される。ポリカーボネートレンズボディの場合、内側縁２４の領域におけるレンズ１４の厚さは、一般に、約１ｍｍから約２．０ｍｍまでの範囲内であり、約１．２５ｍｍから約１．７５ｍｍまでの範囲内であることが可能である。一部の実施形態では、レンズ１４の最も厚い部分は、レンズと光学的中心線との交点に又はその付近にあり、約１．４ｍｍである。一部の実施形態では、レンズボディに施される円偏光膜が、少なくとも約１．０ｍｍで且つ／又は約２．０ｍｍ以下の、場合によっては約１．５ｍｍの、実質的に一様な量だけレンズ１４の厚さを増加させる。
【００２９】
一部の実施形態では、レンズ１４の厚さは、内側縁２４に接近しているところの最大厚さから外側縁２６における比較的薄い厚さまで、必ずしも線形にではないが滑らかに先細る。外側縁２６の近くにおけるレンズの厚さは、一般に、約０．６３５ｍｍから約１．５２ｍｍまでの範囲内であり、約０．７６２ｍｍから約１．２７ｍｍまでの範囲内であることも可能である。ポリカーボネートを用いる一部の実施形態では、レンズは、外側ゾーン
において約１．１５ｍｍの最小厚さを有する。外側縁２６における最小厚さは、一般に、レンズの所望の耐衝撃性によって支配される。多くの場合、約０．０５０インチ（およそ０．１３センチ）から約０．０８５インチ（およそ０．２２センチ）までの範囲内の内側縁の厚さ、及び約０．０３５インチ（およそ０．０８９センチ）から約０．０６０インチ（およそ０．１５センチ）までの範囲内の外側縁の厚さが、満足のいくものである。
【００３０】
次に、図２Ｂを見ると、レンズ１４は、垂直面に沿って直線状である（湾曲していない）ことが可能である（例えば、円柱形又は切頭円錐形のレンズ幾何学的形状）。一部の実施形態では、レンズ１２、１４は、視線２７がレンズの前方表面２８及び後方表面３０に実質的に直交するように、垂直軸に実質的に平行に方向付けることができる。図２Ｂに示された実施形態では、レンズ１４は、レンズを直交する線が正常な真っ直ぐな視線２７から角度φだけずれるように、下向きに傾いている。ずれの角度φは、約０°より大きく且つ／若しくは約３０°未満、又は約１０°より大きく且つ／若しくは約２０°未満、又は約１５°であってよい。ただし、これらの範囲外の、その他の角度φが使用されてもよい。特定の偏光を持つ３Ｄレンズの場合、レーク角φは、約１０°未満、好ましくは約５°未満、より好ましくは約２°未満であり、最適なのは、３Ｄパフォーマンスを最適にするために、約ゼロである。各種の円柱形状のレンズが使用されてよい。レンズ１４の前方表面２８及び／又は後方表面３０は、水平軸に沿った曲率半径が実質的に一様であるように、直円柱の表面に適合することができる。水平方向に非一様な湾曲を有するレンズを提供するためには、楕円柱を使用することができる。例えば、レンズは、その内側縁２４の近くよりも外側縁２６の近くで、より湾曲していてよい。一部の実施形態では、例えば、（例えば図２Ｂに示されるように）垂直方向に傾いたレンズを提供するために、斜（非直）円柱を使用することができる。
【００３１】
大幅なラップを提供するレンズを有する３Ｄアイウェアは、眼の側方保護を提供するが、そのレンズの湾曲は、着用者の視野の角度範囲を通じ、無視できないプリズム歪みを導入する。図３は、一様な厚さ４４を有する円形の内表面水平断面及び外表面水平断面を持つレンズ４１における屈折を図解している。このようなレンズ４１では、レンズ４１から眼４６への光線の入射角が、視野の角度範囲全体にわたって変化する。例えば、説明を目的として内側光線５０と呼ばれるとする光線は、入射地点における法線に対して角度αでレンズ４１にぶつかる。当該分野でよく知られるように、透過表面における光の曲がりは、一部には、光線の入射角に依存する。光線５０は、レンズ４１の外表面５２及び内表面５４のそれぞれにおいて逆方向に屈折される、すなわち曲がるので、結果得られる透過光線５６は、入射光線５０に平行である。透過光線５０は、入射光線５０の経路に対して距離５８だけ横方向に変位される。この変位は、（プリズム）光学的歪みの一次のソースを表す。
【００３２】
更に、屈折による変位は、外側端６０では、入射角βが増すゆえに、より一層強調される。光学分野の当業者にならば理解されるように、周辺入射光線６２は、スネルの法則にしたがって、内側入射光線５０よりも大きい変位６４を経験する。周辺光線の変位６４と、内側光線の変位５８との間の不一致は、二次の光学的歪みを発生させる。この二次の歪みは、レンズ４１の比較的外側の部分を通して見える画像を大幅に反らせるだろう。
【００３３】
図４は、Ｊａｎｎａｒｄに対して発行された米国特許第４，８５９，０４８号におけるユニタリレンズシステムとの関係で開示されたのと同様なやり方でレンズ４１（図３）の外側端６０における入射角の増大を補償するための、厚さが先細ったレンズ７１を図解している。先細りは、外側端７６において、より内側の地点８０におけるレンズ厚さ７８と比べて薄いレンズ厚さ７４を生じる。より薄いこの厚さ７４は、図４の先細っていないレンズ４１を通して生じる周辺光線変位６４と比べて周辺光線変位８２の量を減少させる。言い換えると、先細ったレンズ７１の外側端７６の近くにおけるレンズ厚さ７４の減少は
、より内側の地点８０における厚さ７８及び入射角α’と比べた入射角β’の増大をある程度補償する。
【００３４】
結果得られる同じレンズ７１における周辺光線変位８２と内側光線変位８４との間の相違は、図３における対応する相違ほど大きくなく、二次の光学的歪みを減少させる。なお、二次の歪みの補正の程度は、頂点８５から各外側端７６にかけてどのように及びどの程度先細るか、並びに同範囲にわたって入射角がどのように変化するかに依存することに留意せよ。
【００３５】
図４のレンズ７１は、まるで、着用者の正常な視線８６がレンズの頂点、すなわち機械的中心８５においてレンズ７１を垂直に通るようにフレーム（不図示）に取り付けられたかのように示されている。言い換えると、着用者の正常な視線の場合は、レンズの法線に対する入射角はゼロである。断面図におけるレンズ７１の外表面及び内表面は、中心点８７、８８によってそれぞれ表されるずらされた等半径の円に適合する。中心点８７、８８を通るように引かれた線は、ここではレンズの光学的中心線と呼ばれ、着用時の向きにおいて、正常な視線と同一線上にある。この従来の構成は、説明を容易にするために、中央向きのレンズとして定義されるとする。正常な視線８６が円周方向に時計回り又は反時計回りすると、レンズの法線に対する入射角は、レンズ頂点８５におけるゼロから規則的に増大する。
【００３６】
美観上の理由のため、飛来する破片から眼の側方を保護するため、又は周辺光を遮断するためには、ある程度のラップが望ましいと考えられる。ラップは、円柱形レンズ又は球形レンズなど水平曲率がきつい（ベースが高い）レンズを用いることによって、及び／又は各レンズを中央向きのデュアルレンズに対して側方に且つ後方に傾斜された位置で取り付けることによって達成されるだろう。このような傾斜は、正常な視線８６を光学的中心線との共線的関係から外れさせ、レンズの光学を変化させる。その結果、着用者の顔のサイドに回り込む大幅な「ラップ」を有するデュアルレンズアイウェアには、ある程度のプリズム歪みが付随するのが一般的であった。
【００３７】
同様に、美観上の理由のため、及び着用者の眼の下方からの光、風、埃、又はその他の破片を遮断するためには、高いレーク、すなわち垂直方向の傾きが望ましいと考えらえる。ラップが、正常な視線８６を光学的中心線の水平成分との共線的関係から外れさせる傾向があるのと全く同様に、レークを伴ったレンズの取り付けは、（例えば図２Ｂに示されるように、）正常な視線を光学的中心線の垂直成分との共線的関係から外れさせる。大幅なレークを伴ったデュアルレンズアイウェアもやはり、ある程度のプリズム歪みを示すのが一般的である。
【００３８】
本明細書で提供されるのは、着用時の向きにおいてレーク及び／又はラップを有する３Ｄアイウェアのための湾曲レンズにおけるプリズム歪みを最小限に抑えるための、改善された光学的な構成及び方法である。多岐にわたる様々なレンズ形状及び向きが使用されてよいが、本明細書で説明される光学的矯正は、高いベース曲率を使用し尚且つ着用時の向きにおいて高いラップ及び／又はレークを示すデュアルレンズ３Ｄアイウェアにおいて、特に有用であった。
【００３９】
図２及び図５を参照すると、例示されたアイウェアは、中央向きの従来のデュアルレンズ取り付けと比べて側方に回転された位置に取り付けられた傾斜されたレンズ１２、１４又は１０２、１０４を組み入れている。傾斜されたレンズは、着用者の頭部に対して一定の向きを有するものと考えられ、これは、中央向きのレンズを有する従来のデュアルレンズアイウェアから始めて、テンプルのところでフレームを、頭部のサイドを包み込むように内向きに曲げることによって達成されるだろう。
【００４０】
ラップが増した結果、着用者の正常な視線２７は、図４に示されるようにレンズ１４に垂直にぶつかることはなくなる。その代わり、着用者の正常な視線２７の入射角θ（図２）は、９０°を上回るのが一般的であり、優れたラップを達成するためには約９５°を上回ってよく、約１００°から約１３５°までの範囲内であることが可能である。ベースが９．５の一実施形態では、入射角θは、約１０１．７５°である。ベースが低いレンズほど、着用時の向きにおいて示す角度θが大きくなり、６．５のベースを有する一実施形態における角度θは、約１１３．４°であった。２．８インチ（約７．１センチ）の瞳孔間距離を有するベースが４の一実施形態では、角度θは、約１１９．８６４°であった。
【００４１】
図５は、より曲率がきつい（よりベースが高い）レンズ１０２及び１０４と、恐らくはより大きいラップとを有することを除いて図２に示されたのと同様なスタイルの、３Ｄメガネ１００の水平断面を示している。メガネ１００が着用されるとき、レンズ１０４の外側縁１０６は、上述のように眼の側方を大幅に覆うように、着用者のこめかみに大幅に回り込むとともに着用者のこめかみにごく接近する。
【００４２】
レンズの前方（前）表面１０８は、ここでは水平断面として示された円柱１１０などの規則的な幾何学的立体の表面の一部分に概ね適合することができる。例示された実施形態の円柱形レンズ１０２及び１０４の前面の水平曲率は、したがって、半径によって特徴付けることができる。業界の慣例により、曲率は、ミリメートルを単位としたレンズの前方表面の半径（Ｒ）が、５３０をベースカーブで割り算したものに等しいような、すなわち、
【数１】
2013518301.tif 000003
であるような、ベース値を用いて表すこともできる。
【００４３】
一部の実施形態は、６以上のベースカーブを有するレンズブランクを使用して、比較的高いラップを有するデュアルレンズ３Ｄメガネシステムを作成することを可能にする。約７と２分の１から１０と２分の１までの間、又は約８から９と２分の１までの間のベースカーブが使用されてよく、実施形態によっては、約８と４分の３から９までの間のベースカーブを使用することが可能である。ベースが６のレンズの前方表面に適合する円の半径は、例えば、約８８．３３ミリメートルである。比較のため、ベースが３のレンズの前方表面を特徴付ける円の半径は、約１７６．６６ミリメートルである。一部の実施形態では、円偏光子が、レンズボディのベース曲率に適合するように湾曲されてレンズに施される。高いベース番号に関係付けられる曲率は、円偏光の効率を低下させ、着用者に見せられる３Ｄ画像の質を下げる恐れがある。したがって、一部の実施形態では、約６と２分の１以下のベースカーブ（例えば、３、４、５、又は６のベースカーブ）が使用され、一般には、約４以上である。
【００４４】
図５に例示された実施形態は、光学的中心線における約０．０６４９インチ（およそ０．１６５センチ）の厚さ、及びレンズの外周に沿って光学的中心線から２インチ（およそ５センチ）のところにある基準点における約０．０５３インチ（およそ０．２３センチ）の厚さを有し且つベースが８と４分の３であるレンズブランクからカットすることができる。或いは、レンズは、その最終的な形状及び構成に直接成形することができる。
【００４５】
図６は、レンズブランク１２２の斜視図であり、その凸外表面１３６は、三次元幾何学的形状１２４（例えば、例示された実施形態では球）の表面の一部分に概ね適合する。当業者にならば、レンズが様々な幾何学的形状（例えば、円柱又はドーナツ形）に適合可能
であることが理解される。図６〜７に示された実施形態では、レンズ１２０は、水平方向及び垂直方向の両方に湾曲している。
【００４６】
レンズの外表面は、一定の水平半径を有する（球若しくは円柱）若しくは進行性の曲線を有する（楕円、ドーナツ形、若しくは卵形）滑らかで連続した表面を有する形状に、又は水平面内若しくは垂直面内のいずれかにおいてその他の非球形を成している形状に適合することができる。ただし、本明細書で説明される一部の実施形態では、幾何学的形状１２４は、概ね球として近似されている。本明細書で説明されるその他の実施形態では、幾何学的形状１２４は、第１の軸に沿っては湾曲しているが第２の軸に沿っては湾曲していない概ね円柱形である。図６及び図７に関連して論じられる球形レンズの特徴及び態様の多くは、円柱形レンズはもちろん、その他の幾何学的形状に適合するレンズにも同様に適用することができる。
【００４７】
図６及び図７Ａに例示された球１２４は、架空の三次元一枚壁構造であり、その壁の一部分は、そこからレンズ１２０をカットするのに適している。当該分野で知られるように、精密なレンズカットは、多くの場合、レンズ１２０を最終的にカットする元となるレンズブランク１２２を作成することによって達成される。しかしながら、当業者にならば、図６及び図７Ａの例示から明確であるように、別途のレンズブランクの使用は随意であり、レンズボディ１２０は、もし必要であれば、その最終的な形状及び構成に直接成形することができる。
【００４８】
やはり図６及び図７Ａからわかるように、レンズ１２０及び／又はレンズブランク１２２は、球１２４に沿った様々な場所の任意に位置決めすることができる。一部の実施形態では、光学的中心線１３２が、球１２４に対してレンズ１２０の向きを決めるための基準線として機能する。外表面及び内表面の両方が球の一部分に適合する例示された実施形態では、光学的中心線は、２つの中心Ｃ１とＣ２とをつなぐ線１３２として定められる。当業者にならば明らかなように、非球形のレンズ幾何学的形状を目的とする場合は、球の２つの幾何学的中心をつなぐのとは異なるやり方で類似の基準線を形成することができる。
【００４９】
レンズ１２０は、図７Ａに例示されるように、球の壁の一部分の幾何学的形状を保持するやり方で最終的に形成される。球１２４上におけるレンズ１２０の場所は、レンズ１２０がメガネフレームにおいて向きを決められときに、レンズを通る着用者の正常な視線１３０がレンズ１２０を得る元となった幾何学的構成の光学的中心線１３２に概ね平行に維持されるように選択される。図６及び図７Ａの例示では、レンズ１２０は、かなりのラップと、ある程度の下方レーク（着用時の正常な視線が光学的中心線１３０よりも下方で球１２４と交わることによって示される）とを有する右レンズである。異なる形状又はより少ないラップを有するレンズは、レンズを形成した元となった架空の球１２４の光学的中心線１３２に重なることがある。しかしながら、架空の球１２４の光学的中心線１３２がレンズ１２０と交わるかどうかは、着用時の向きにおいてレンズ１２０で視線１３０が光学的中心線１３２と概ね平行に維持される限り重要ではない。
【００５０】
同様に、もしレンズが、着用時の向きにおいてレークを有さない又は上方レークを有するならば、正常な視線（及びレンズ全体）は、光学的中心線を内包した中央水平経線又はその上方で球１２４と交わるだろう。正常な視線１３０が光学的中心線１３２に対して最終的にとる空間的な距離及び位置は、したがって、ラップ及びレークの程度を（水平距離及び垂直距離によって）示している。しかしながら、伴われる距離如何にかかわらず、レンズは、正常な視線１３０が水平面内及び垂直面内の両方において光学的中心線１３２からずれてはいるが光学的中心線１３２に実質的に平行に維持される限り、示される光学的歪みを最小限に抑えられる。
【００５１】
本明細書で使用される「実質的に平行」とは、レンズ１２０が着用時の位置における向きにされたときに、事前に選択された視線１３０が、光学的中心線１３２に平行な状態から水平面内又は垂直面内において総じて約±１５°を超えて逸脱しないことを意味する。一部の実施形態では、正常な視線１３０は、光学的中心線１３２から約±１０°を超えて逸脱せず、その他の実施形態では、正常な視線１３０は、光学的中心線１３２から約±５°以下しか逸脱せず、その他の実施形態では、正常な視線１３０は、光学的中心線１３２から約±２°以下しか逸脱しない。一部の実施形態では、視線１３０は、着用時の向きにおいて光学的中心線に平行である。
【００５２】
水平面内における平行からのばらつきは、垂直面内における平行からのばらつきよりも、光学に対して大きな悪影響を及ぼすのが一般的である。したがって、垂直面内における視線１３０と光学的中心線１３２との間の立体角は、アイウェアによっては、逸脱の角度の水平成分が上記の平行な向きからの逸脱範囲内である限り、上で挙げられた範囲を超えていることが可能である。視線１３０は、着用時の向きにおいて実施形態によっては光学的中心線から、垂直面内において約±１０°以下、実施形態によっては約±３°以下しか逸脱しない。
【００５３】
図７Ａは、図６のレンズ１２０、レンズブランク１２２、及び幾何学的形状１２４の切り取り図である。幾何学的形状１２４の光学的中心線における水平断面１３４によって明らかにされるように、この図は、幾何学的形状１２４が、厚さが変化する壁を伴った中空であることを示している。
【００５４】
幾何学的形状１２４が伴う先細った壁は、中心点Ｃ１及びＣ２と、半径Ｒ１及びＲ２とによって表される、水平方向にずらされた２つの球から得られる。レンズブランク１２２の外表面１３６が、（半径Ｒ１の）１つの球に適合することができる一方で、レンズブランク１２２の内表面１３８は、（半径Ｒ２の）もう１つの球に適合することができる。２つの球を記述するパラメータを調節することによって、レンズブランク１２２の先細りの性質も調節することができる。
【００５５】
具体的には、レンズブランクの外表面１３６及び内表面１３８が適合する２つの球についてのパラメータは、屈折率を最小若しくはゼロにするように、すなわち度付きでないレンズを作成できるように、選択することができる。ＣＴが、選択された中心厚さ（中空の幾何学的形状１２４の最大厚さ）を表し、ｎが、レンズブランク材料の屈折率であり、Ｒ１が、外表面１３６の曲率に関する設計上の選択によって設定されるとき、Ｒ２は、以下の方程式によって決定することができる。
【数２】
2013518301.tif 000004
ＣＴ／ｎは、球の中心Ｃ１とＣ２との間の隔たりを表している。例えば、設計上の選択としてベース６のレンズが望ましいときは、中心厚さは、３ｍｍとして選択され、材料の選択肢の１つ（ポリカーボネート）の屈折率は、１．５８６であり、Ｒ２は、以下のように決定することができる。
【数３】
2013518301.tif 000005
この例では、外表面１３６の半径Ｒ１は、８８．３３３ｍｍに等しく、内表面１３８の半径Ｒ２は、８７，２２５ｍｍに等しく、球の中心Ｃ１及びＣ２は、１．８９２ｍｍ隔たれている。これらのパラメータは、偏心された球形の実施形態のレンズブランク１２２の曲
率を記述している。
【００５６】
一部の実施形態の場合は、光学的中心線１３２は、ずらされた球の両方の中心点Ｃ１及びＣ２を通る線である。この線は、光学的中心１４０において幾何学的形状１２４の壁の最も厚い部分を通っているが、これは、非球形の実施形態の場合は当てはまらないかもしれない。光学的中心線１３２は、例示されたレンズブランク１２２の表面１３６を通っているが、これは、必ずしも必要ではない。光学的中心１４０は、レンズ１２０上にはないが、より大きいレンズ、又は着用時の向きにおいてそれほどラップを示さないレンズの場合は、レンズ１２０上にあるかもしれない。
【００５７】
図７Ｂは、レンズ１２０’、レンズブランク１２２’、及び幾何学的形状１２４’の切り取り図であり、図７Ｂの幾何学的形状１２４’が円柱であることを除いて多くの点で図７Ａと同様である。図７Ｂの断面は、レンズ１２０’と交わる水平面に沿って見たものである。円柱１２４’は、中空であってよく、厚さが変化する壁を有することができる。円柱形のレンズブランク１２２’は、水平断面内における中心点Ｃ１’と、半径Ｒ１’とを有する直円柱の形状に適合する外表面１３６’と、水平断面内における中心点Ｃ２’と、半径Ｒ２’とを有する第２の直円柱の形状に適合する内表面１３８’とを有することができる。光学的中心線１３２’は、両方の中心点Ｃ１’及びＣ２’を通る線によって定められる。円柱は、その垂直軸において一様であるので、各円柱は、それぞれの中心線を定めることができ、円柱の２つの中心線と交わる面は、レンズブランク１２２’の光学的中心を表すことができることが理解される。図８Ａに示された中心点Ｃ１’及びＣ２’、並びに光学的中心線１３２’は、水平断面が第１及び第２の円柱中心線、並びに光学的中心面とそれぞれ交わるところに位置している。
【００５８】
内表面１３８’の中心点Ｃ２’は、外表面１３６’の中心点Ｃ１’からずらすことができ、外表面１３６’及び内表面１３８’の半径（Ｒ１’及びＲ２’）は、等しい、又は例えば上記の方程式（２）によって示されるように、外表面１３６’の半径Ｒ１’が内表面１３８’の半径Ｒ２’よりも大きいことが可能である。もし、中心点Ｃ１’とＣ２’とが十分にずらされているならば、半径Ｒ２’は、半径Ｒ１’よりも大きくなるだろう。一実施形態の例では、中心点Ｃ１’及びＣ２’は、１．８９２ｍｍ隔たれており、半径Ｒ１’は、８３．３３３ｍｍに等しく、半径Ｒ２’は、８７．２２５ｍｍに等しい。図８Ａは、図７Ａのレンズ１２０の垂直断面を例示したものであり、外表面１３６及び内表面１３８が適合する図８Ａでは球である幾何学的形状１２４も、仮想線で示されている。図に示された実施形態では、光学的中心線１３２は、レンズ１２０の垂直プロフィールを通ることができる。選択される先細りに関係付けられる光学的中心線１３２は、また、着用時の向きにおいて、着用者の正常な視線１３０に概ね平行に、尚且つ着用者の正常な視線１３０から離れるように方向付けられる。
【００５９】
図８Ｂは、図７Ｂのレンズ１２０’の水平断面を例示したものであり、外表面１３６’及び内表面１３８’が適合する幾何学的形状１２４’（例えば円柱）が、仮想線で示されている。レンズブランク１２２’は、この図では省略されている。（図７Ａ及び図８Ａに示されるような）球形レンズ１２０は、図８Ｂに示されたのと同様な又は同じ水平断面を有してもよいことが理解される。一部の実施形態では、選択される向きに関係付けられる光学的中心線１３２’は、また、レンズ１２０’がメガネフレームに取り付けられる際に、着用者の正常な視線１３０’に概ね平行に、ただし着用者の正常な視線１３０’からずれるように方向付けられる。
【００６０】
ゆえに、高度なラップを伴ったデュアルレンズ３Ｄアイウェアのための光学的矯正レンズを提供することに加えて、一部の実施形態は、ある程度のレークによって特徴付けられる３Ｄアイウェアのための光学的矯正レンズを提供する。「レーク」及び「光学的矯正」
という用語は、以下で詳しく定義される。
【００６１】
総じて、「レーク」は、着用時の向きにおいて、正常な視線１３０（図８Ａを参照せよ）が非垂直角度でレンズ１２０の垂直接線にぶつかるときのレンズの状態を記述するものとして理解される。一部の実施形態にしたがった光学的矯正３Ｄアイウェアの場合は、しかしながら、レークされたレンズに対する正常な視線は、光学的中心線に概ね平行で尚且つ光学的中心線から垂直方向にずれている。したがって、正しい向きにされたレンズのレークの程度は、正常な視線が光学的中心線から垂直方向に離れている距離によって測ることができる。
【００６２】
図１０Ｂに示されるような、中央向きのレンズの場合は、着用者の視線は、光学的中心線と一致し、したがって、垂直変位を見せない。このようなレンズは、着用時の向きにおいて（以下で定められるように）光学的に矯正可能ではあるが、レークは有さない。図１０Ｃは、下方へ傾いている、すなわちレークされてはいるが、「変位」が有意に測定されえないほど光学的中心線と正常な視線とが大きく分かれているレンズの向きを示している。このようなレンズは、従来の意味では下方レークを有しており、眼の下方の保護を提供する及び着用者の顔に適合するという利点がある一方で、垂直方向に光学的に矯正はされない。
【００６３】
これに対して、図１０Ａに示されたレークされたレンズは、光学的中心線からの有限な垂直変位によって特徴付けられる。図１０Ａは、下方レークを生じるために使用される下方変位を示している。光学的中心線が、上記の許容可能な角度範囲内で正常な視線から分かれている場合は、この変位は、レンズ表面又はその近くで測定されるはずである。変位は、おおよそ非ゼロの任意の変位から約８．０インチ（およそ２０センチ）までの幅があるだろう。ベース曲率が低いレンズほど、優れたレークを実現するために必要な変位が大きくなるだろう。ベースが６の曲率を持つレンズの垂直変位は、しかしながら、約０．１インチ（およそ０．２５センチ）と約２．０インチ（およそ５．１センチ）との間であることが望ましい。一部の実施形態では、垂直変位は、約０．１インチ（およそ０．２５センチ）と約１．０インチ（およそ２．５センチ）との間であり、特に、約０．２５インチ（およそ０．６４センチ）と約０．７５インチ（およそ１．９センチ）の間であり、約０．５インチ（およそ１．３センチ）であることが可能である。
【００６４】
本明細書で使用される「光学的に矯正する」という用語は、着用時の向きにおけるプリズム歪み、屈折力、及び非点収差のうちの１つ又は２つ以上の値によって測定される歪みが比較的低いレンズを言う。一部の実施形態にしたがったレンズは、少なくとも１／４ジオプタ又は３／１６ジオプタの低さの、多くの場合、約１／８ジオプタ未満の、プリズム歪みを示す。一部の実施形態では、プリズム歪みは、約１／１６ジオプタ未満、又は約１／３２ジオプタ未満である。一部の実施形態にしたがったレンズの屈折力及び非点収差もやはり、低い。屈折力及び非点収差もやはり、それぞれ、少なくとも１／４ジオプタ又は３／１６ジオプタの低さであり、約１／８ジオプタ未満、約１／１６ジオプタ未満、又は約１／３２ジオプタ未満であることが可能である。当業者にならば理解されるように、光学的歪みを最小限に抑えることの利点は、水平寸法及び垂直寸法の両方に当てはまる。なかでも特別な利点は、本明細書で教示される原理をレンズの垂直寸法及び水平寸法の両方に適用することによって得られ、これは、着用者の視野の全角度範囲にわたって卓越した光学的品質を伴いつつ、（ラップ及びレークを通じた）周辺光からの眼の側方保護及び下方保護の組み合わせを可能にする。一部の実施形態では、レンズは、第１の方向に（例えば水平軸に沿って）は光学的に矯正され、第２の方向に沿って（例えば垂直軸に沿って）は光学的に矯正されないことが可能である。
【００６５】
更に、本明細書で説明される主要な実施形態は、水平断面及び／又は垂直断面において
一定の半径を有する円筒形及び球形のものであるが、水平面及び垂直面の両方において様々なレンズ構成が可能である。したがって、例えば、一部の実施形態のレンズの外表面若しくは内表面のいずれか、又は外表面及び内表面の両方が、図６及び図７Ａに示されるような球形、又は図７Ｂに示されるような直円柱に概ね適合することができる。或いは、レンズの外表面若しくは内表面のいずれか、又は外表面及び内表面の両方が、切頭円錐形、ドーナツ形、楕円柱、楕円体、回転楕円体、その他の非球体、又はその他の様々な三次元形状に適合することができる。一方の表面の垂直曲率又は水平曲率如何にかかわらず、もう一方の表面は、取り付けられた着用時の向きにおけるレンズの倍率、プリズム、及び非点収差のうちの１つ又は２つ以上を最小限に抑えられるように選択することができる。図９〜１２は、一部の実施形態にしたがった、右レンズ１２０をカットする元となるレンズブランク１２２上における場所を選択する方法を説明するのに役立つ。デュアルレンズ３Ｄアイウェアのための左レンズの作成にも、同様の方法が使用されるだろうことが理解される。
【００６６】
第１のステップとして、レンズの内表面１３８及び外表面１３６にとって所望のおおよその曲率を選択することができる。レンズ１２０の場合、この選択は、レンズブランク１２２のベース値を決定する。本明細書の随所に記されるように、数々のその他の曲率が利用可能である。レンズ厚さの選択も、事前に選択可能である。具体的には、事前に選択された衝撃力にレンズが耐えられるように、最小厚さが選択可能である。
【００６７】
所望のレンズ形状も、選択可能である。例えば、図１２は、レンズ１２０を正面から見た形状の一例を示している。選択される具体的な形状は、一般に、本明細書で開示される、向き及び偏心を伴ったレンズの光学とは無関係である。
【００６８】
レンズにとって所望の着用時の向きも、着用者１２６の正常な視線１３０に相対的に選択されるべきである。上記のように、向きによっては、周辺光からの側方保護及び周辺光の遮断、並びに美観上の理由のための、大幅な側方ラップと、また、ある程度の下方レークとを提供することができる。例えば、一部の実施形態は、ラップを実現するために、傾斜されたレンズ１２０を使用することができる。或いは、ラップは、より高いベースのレンズと、より従来の（傾斜されていない）向きとの使用を通じて実現することができる。図９及び図１０Ａ〜Ｃは、向きが着用者の視線１３０にどのように関係するかをより明白に例示している。
【００６９】
３Ｄアイウェアの設計者は、着用者１２６の頭部に相対的なレンズの様々な着用時垂直向きを図解した図１０Ａ〜Ｃから理解されるように、レーク、すなわち垂直傾斜の程度も選択することができる。図１０Ａは、着用者１２６の頭部に相対的な、及び詳細には真っ直ぐな正常な視線１３０に相対的な、レンズ１２０の向きを例示している。図１２Ａに例示されるような下方レークは、一般的な頭部生体構造に対する適合性の向上などの様々な理由で望ましいとされる。本明細書の開示内容に照らして当業者ならば明らかになるように、光学的中心線１３２（図７を参照せよ）と交わる水平面よりも下方に機械的中心点を有するレンズ１２０は、光学的中心線と真っ直ぐな視線との間に概ね平行な関係を保ちつつ、図１０Ａに例示されるように下方レークを持つようにレンズ１２０の向きを決めることを可能にする。架空の球内における光学的中心線に対するレンズ１２０の位置付けは、着用時の向きにおけるレンズ１２０と正常な視線１３０の平行線との間における位置付けと同じであるはずなので、この球の光学的中心線１３２の下方からカットされるレンズは、いずれも、相応の下方レークを伴って取り付けられ、本明細書で説明される光学的矯正を実現することができる。
【００７０】
したがって、図１０Ａに例示されるように、正常な視線１３０と光学的中心線１３２との間の変位の垂直成分を特定することによって、望ましい程度のレークを選択することが
できる。いずれにせよ、変位が大きいほど、下方レークも大きくなる。一部の実施形態では、垂直変位は、ゼロよりも大きい。一般的に、垂直変位は、ベース曲率に応じて、約０．１インチ（およそ０．２５センチ）から約２インチ（およそ５．１センチ）までである。一部の実施形態では、垂直変位は、約０．１インチ（およそ０．２５センチ）から約１インチ（およそ２．５センチ）、又は約０．２インチ（およそ０．５１センチ）以上である。一部の実施形態では、垂直変位は、約０．２５インチ（およそ０．６４センチ）から約０．７５インチ（およそ１．９センチ）までであり、一実施形態では、約０．５インチ（およそ１．３センチ）であった。
【００７１】
或いは、（レンズの厚さは考慮せずに、）レンズの曲率に相対的な正常な視線の向きを固定する一般的なプロフィールを選択することができる。例えば、図１０Ａは、正常な視線１３０に相対的な上縁１５２及び底縁１５４の両方の基準点を提供する。この関係は、次いで、以下の図１１Ａの議論から明らかになるように、レンズブランク上におけるどの位置からレンズをカットするかを決定するために用いることができる。
【００７２】
次に、図１１を参照すると、レンズブランク１２２’への図７Ｂの円柱形レンズ１２０’の対応付けが例示されている。選択された向きの測定基準とされる正常な視線１３０’は、光学的中心線１３２’に実質的に平行に且つ光学的中心線１３２’からずれた状態に維持される。変位の水平成分は、低めのベース曲率の場合は、一般的に、約０．１インチ（およそ０．２５センチ）から約８インチ（およそ２０センチ）までの範囲内である。
【００７３】
図１１に例示されるような美観設計並びに所望のレーク及びラップの向きが（選択されたフレーム１５０’などによって）決定され、上記美観設計にぴったり合う適切なベース曲率を有するレンズブランク１２２’が形成されたら、レンズ１２０’として使用されるのに適した円柱部分を明らかにするために、理論的な円柱、すなわちブランクの表面上に、上記美観設計を図式的に又は数学的に「投影」することができる。円柱へのレンズ形状の投影は、円柱のその場所からカットされたレンズが、着用時の向きにおいて円柱の光学的中心線が所望の真っ直ぐな視線に概ね平行になる向きからレンズ１２０’を回転させなくても上記美観設計に適したラップを示すように位置決めされるまで、円柱の表面上を移動されることが望ましい。垂直方向に実質的に一様なレンズブランク（例えば円柱形レンズブランク１２２’）の場合、レンズ１２０’は、垂直方向においては任意の適切な場所からカットされてよく、場合によっては、垂直方向における投影は不要である。場合によっては、以下で更に詳しく説明されるように、１つの円柱形レンズブランクから複数のレンズをカットすることができる。
【００７４】
レンズによっては（例えば球形又はドーナツ形）、図１１に示されたのと同様に水平方向の投影がなされてよく、図１１Ａに示されるように、選択された垂直方向の向きに対しても同様な同時的投影を実施することができる。図１１Ａは、選択されたフレーム１５０から、垂直方向に湾曲している（例えば球の表面に適合している）レンズブランク１２２上における位置への投影を図解したものである。フレーム１５０（又は図１０Ａによって提供されるような概念上の構成）は、視線１３０との関係においてレンズの上縁１５２及び底縁１５４の形で基準点を提供する。投影は、次いで、視線１３０を光学的中心線１３２に実質的に平行に維持しつつ、上縁１５２及び底縁１５４の両方が同時にレンズブランクの外表面１３６上における対応する点と一致するまで上下に推移させることができる。
【００７５】
水平プロフィール及び垂直プロフィールの両方の投影は、同時に実施されて、視線１３０が光学的中心線１３２又はレンズブランク１２２のその他の基準線に平行になる所望の三次元形状（図１２に示された、正面から見た形状を含む）に対応するレンズブランク１２２上における固有な位置を見つけることができる。もちろん、視線１３０及び中心線１３２は、実質的に平行であってよい、すなわち上記の許容可能な角度逸脱範囲内であって
よいことが理解される。
【００７６】
この形状は、次いで、ブランク１２２からカットする、又は最終的なレンズ構成に直接成形することができる。結果得られるレンズ１２０は、所望の形状に適合するのみならず、着用時の向きにおけるプリズム歪みを最小限に抑える。
【００７７】
図１２は、図６及び図７Ａにおいて球の表面の一部分に適合するものとして示されているようなレンズブランク１２２を、ページに向かって凹んだ状態で例示している。図１２では、レンズブランク１２２は、ブランクの機械的中心が中央水平経線上における図の中心に示されるように、理論的の球の上に形成されている。例示されたレンズプロフィール１２０は、内側縁１４８と、外側縁１４４と、上側縁１５２と、下側縁１５４とを有する。右レンズ１２０の内側縁１４８は、レンズブランク１２２の光学的中心の近くに位置している。
【００７８】
右レンズ１２０の少なくとも一部分が、レンズブランク１２２の左下（第３）象限に位置している。ラップ及び下方レークの両方を示している一部の実施形態では、レンズ面積の少なくとも半分が、レンズブランク１２２の第３象限内にある。一部の実施形態では、レンズ１２０の面積の全部又は実質的に全部が、例示のように、光学的中心の下方に且つ左に位置している。同程度のレークを示してはいるがラップは少ないレンズは、レンズ面積の５０％又はそれ以上もがレンズブランク１２２の右下（第２）象限内にあるように、レンズブランク１２２上に位置決めすることができる。
【００７９】
図１２Ａは、同じレンズブランク１２２上における、左レンズ１２０Ｌがカットされうる位置を例示している。左レンズ１２０Ｌは、内側縁１４８Ｌと、外側縁１４４Ｌと、上側縁１５２Ｌと、下側縁１５４Ｌとを有する。左レンズ１２０Ｌは、例示されたプロフィールの右レンズ１２０及び左レンズ１２０Ｌの両方を同じレンズブランク１２２からカットすることはできないゆえに、仮想線で描かれている。むしろ、例示された左レンズ１２０Ｌは、第１のレンズブランク１２２と同一の形状を有する第２のレンズブランク上に示された位置からカットされるだろう。一部の実施形態では、右レンズ１２０及び左レンズ１２０が、それぞれ左眼（例えば左回りに円偏光された）画像及び右眼（例えば右回りに円偏光された）画像をブロックすることによって３Ｄ鑑賞を可能にするように構成されるように、第１及び第２のレンズブランクは、形状は同じであるが偏光の向きは異なる。
【００８０】
左レンズ１２０Ｌの形状は、右レンズ１２０と向こう対称であるはずなので、左レンズ１２０Ｌの形状は、右レンズ１２０の形状の鏡像である。例えば、右レンズ１２０の画像は、光学的中心線１３０及び球１２４の極が通る垂直面を挟んで反転させることができる。その画像を投影されるだろうレンズブランクは、例示されたレンズブランク１２２と同一であるが、機械的中心を中心に１８０°回転されたものである。
【００８１】
或いは、左レンズ１２０Ｌの形状は、垂直対称軸を挟んで右レンズ１２０の形状の鏡像であると見なすこともできる。図１２Ａに例示されるように、左レンズ１２０Ｌは、右レンズ１２０を上下逆さまにしたものである。レンズブランク１２２の場合、垂直対称軸は、レンズブランク１２２を、球１２４（図６及び図７Ａ）の上半球及び下半球にそれぞれ適合する上半分と下半分とに分ける中央水平経線１７０である。ゆえに、内側縁１４８Ｌ、外側縁１４４Ｌ、上側縁１５２Ｌ、及び下側縁１５４Ｌの各々の水平位置（すなわち、レンズブランク１２２の内側縁又は外側縁からの距離）は、右レンズ１２０上における対応する点と同じである。左レンズ上及び右レンズ上における対応する点は、水平経線１７０からの垂直距離も同じであるが、ただし、逆方向である。例えば、左レンズ１２０Ｌの上縁１５２Ｌは、右レンズ１２０の上縁１５２が水平経線１７０の下方にある距離とおおよそ同じ距離だけ水平経線１７０の上方にある。
【００８２】
したがって、幾分レークされたデュアルレンズ実施形態では、左レンズ１２０Ｌが、レンズブランク１２２の実質的に上半分からカットされる一方で、右レンズ１２０は、同一形状のレンズブランクの実質的に下半分からカットされる。ラップ及びレークの両方を示している一部の実施形態の場合は、左レンズ１２０Ｌが、レンズブランク１２２の実質的に左上（第４）象限からカットされる一方で、右レンズは、実質的に第３象限からカットされる。この文脈で使用される「実質的に」は、レンズ１２０又は１２０Ｌの表面積の５０％を超える面積が、関係するレンズブランク１２２の一半分内又は一象限内に入ることを言う。
【００８３】
もちろん、この説明は、光学的中心線が機械的中心を通る（すなわち、レンズブランク１２２の先細りが水平方向に非対称的である）のではなく中央水平経線１７０を通る（すなわち、レンズブランク１２２の先細りが垂直方向に対称的である）ことによって説明されるレンズブランク１２２に限定されない。代替のレンズブランクは、代替の先細りを利用可能であることが理解される。当業者ならば、右レンズ及び左レンズをカットする位置を、先細りの対称性如何にかかわらず、着用時の向きにおける正常な視線が光学的中心線に実質的に平行に維持されるように調節できるだろう。
【００８４】
こうして、一部の実施形態は、先細りと、着用者の眼からレンズの表面への変動入射角との間に正しい対応関係を付与する正確な方法を提供する。着用者の視線と先細りの形態との間の関係を使用することによって、非点収差、倍率、及びプリズム歪みを最小限に抑えつつ、様々なレンズ設計が利用可能である。例えば、設計者は、着用者の視線に相対的に、レンズにとって所望の向き及び曲率を選択することができる。向き及び曲率は、広範囲のレーク、ラップ、ベース値、及び着用者の顔への接近具合から選択することができる。次いで、先細りの形態、及び理論的な球又はその他の形状上におけるレンズプロフィールの場所を、着用時の向きにおけるプリズム歪みが最小限に抑えられるように選択することができる。
【００８５】
図１３は、３Ｄアイウェアに使用するための多層レンズ１３００の、原寸に比例しない一実施形態の断面を図解している。レンズ１３００は、ポリカーボネート、ＣＲ−３９、ガラス、又はその他の適切な材料で形成されたレンズボディ１３０２を含むことができる。レンズボディ１３０２は、剛性であってよく、複合レンズ１３００の形状を決定付けることができる。接着剤層１３０６によって、前面（着用者の眼から最も遠く）に円偏光子１３１０が施される。一部の実施形態では、レンズボディ１３０２の前面及び後面に、ハードコード１３０４を施すことができ、接着剤層１３０６は、ハードコート１３０４の前方に施すことができる。円偏光子１３１０は、接着剤層１３１４又はその他の適切な接合層によって接合される４分の１波長板１３１２と直線偏光子１３１６とを含むことができ、好ましくは、４分の１波長板１３１２の速軸は、直線偏光子の透過軸から約４５°ずらされる。直線偏光子は、ヨウ素をベースにした偏光子であってよい、且つ／又は偏光を生み出す二色性色素であってよい。円偏光子は、一部の実施形態では、熱（例えば摂氏８０°超え又は９０°超え）に弱い。したがって、一部の実施形態では、レンズ１３００は、本明細書で説明されるように、円偏光子に熱を加えることなく組み立て可能であることによって、３Ｄレンズ１３００のための高い偏光効率を保つことができる。
【００８６】
一部の実施形態では、円偏光子１３１０及び接着剤層１３０６は、少なくとも約１．０ｍｍ且つ／若しくは約２．０ｍｍ以下、又は約１．５ｍｍの合計厚さを有することができる。レンズボディ１３０２は、少なくとも約１．０ｍｍ且つ／若しくは約２．０ｍｍ以下、又は約１．４ｍｍの厚さを有することができる。レンズ１３００の層には、その他の厚さも使用可能である。
【００８７】
図１３に例示された実施形態に示されている特定の層は、省略することができる。例えば、場合によっては、ハードコート１３０４は使用されない。図１３に具体的に示されていない追加の層が追加されてもよい。例えば、レンズ１３００の前面及び／又は後面に、反射防止コーティングを施すことができる。また、一部の実施形態では、円偏光子１３１０をかき傷又はその他の損傷から保護するために、レンズの前面に追加のハードコート層又はその他の保護層を形成することができる。場合によっては、円偏光子１３１０は、その前面及び／又は後面に、三酢酸セルロース（ＴＡＣ）のコーティング又はその他のコーティングを含むことができる。場合によっては、円偏光子１３１０は、着用者の眼から最も遠く離れた層として位置決めされ、円偏光子１３１０の前方に追加の層が設けられることはない。したがって、レンズ１３００を通過して着用者の眼に到達する３Ｄ画像からの光は、レンズ１３００のその他のどの層よりも先に、円偏光子１３１０に接触する。光は、円偏光子に接触する前に、レンズ１３００のどの層によっても屈折又はそれ以外の変更を加えられないので、その結果、光は、円偏光子１３１０によって高い効率でフィルタリングされる。
【００８８】
図１３に例示されたレンズ１３００の層は、配置を変えることが可能である。例えば、図１４は、接着剤層１４０６を使用してレンズボディ１４０２の後面（着用者の眼の最も近く）に円偏光子１４１０が施される多層レンズ１４００の一例を図解している。円偏光子１４１０は、４分の１波長板１４１２と、接着剤層１４１４と、直線偏光子１４１６とを含む。場合によっては、レンズボディ１４０２の前面及び／又は後面に、ハードコート層１４０２を施すことができる。図１４の実施形態では、接着剤層１４０６は、（図１３にあるように）直線偏光子１４１６に施されるのではなく、４分の１波長板１４１２に施されるので、円偏光子１４１０は、直線偏光子１４１６よりも着用者の眼から遠くにある４分の１波長板１４１２によって向きを決められる。レンズ１４００の裏側は、（例えばレンズの凹み形状によって又はアイウェアのテンプルによって）より良く保護されるのが一般的であるので、この実施形態では、円偏光子１４１０は、かき傷又はその他の損傷からより良く保護される。
【００８９】
図１５は、多くの点で図１３及び図１４のレンズと同様又は同じである多層レンズ１５００の一実施形態を図解している。レンズ１５００は、接着剤層１５０６を使用してレンズボディ１５０２の前面に付けられた円偏光子１５１０（４分の１波長板１５１２、接着剤層１５１４、及び直線偏光子１５１６を有する）を含むことができる。レンズボディ１５０２の後面及び円偏光子１５１０の前面には、ハードコート１５０４を施すことができる。この実施形態では、円偏光子１５１０は、光がハードコート層１５０４を通って伝わった後にすぐ円偏光子１５１０に達するように、レンズ１５００のその他の層よりも前方に位置決めされながらも、ハードコート１５０４によって、損傷から保護される。
【００９０】
図１６は、３Ｄ鑑賞用に構成されたレンズを有する３Ｄアイウェアを作成するための方法の一例１６００を示したフローチャートである。図１６は、図１３のレンズ１３００に示された構造を有し尚且つ円柱の表面に適合する前面及び後面を有するレンズとの関連で説明されるが、その他のレンズ構造及び形状が使用されてもよいことが理解される。
【００９１】
ブロック１６０２では、成形レンズブランクボディが提供される。レンズブランクボディは、ポリカーボネート、ＣＲ−３９、ガラス、又はその他の任意の適切な材料で形成することができる。レンズブランクボディは、剛性であってよく、レンズのその他の層は、レンズブランクボディが最終的なレンズの形状を決定付けるように、レンズブランクボディの形状に適合することができる。レンズブランクボディは、射出成形することができ、ただし、レンズブランクボディの形状の形成には、熱成形又は機械加工などのその他のプロセスが使用されてもよい。図１７Ａは、前面１７０２及び後面１７０４を有する円柱形レンズブランクボディ１７００の一例を示した斜視図である。図１７Ｂは、レンズブラン
クボディ１７００の断面図である。レンズブランクボディは、垂直対称軸１７０６を挟んで対称的であることができる。図１７Ａ〜Ｂに示された実施形態では、前面１７０２及び後面１７０４は、図３と同様に、共通の中心点及び異なる半径を有するそれぞれの円柱の表面に適合することができる。一部の実施形態では、レンズブランクボディ１７００は、その厚さが、より厚い中央部分１７０８からより薄い端部分１７１０へと先細るように、図４と同様に、互いからずらされた中心点を有するそれぞれの円柱の表面に適合する前面１７０２及び後面１７０４を有することができる。一部の実施形態では、レンズブランクボディ１７００は、少なくとも約０．０４５インチ（およそ０．１１センチ）且つ／若しくは約０．０６５インチ（およそ０．１７センチ）以下の、又は約０．０５５インチ（およそ０．１４センチ）の最大厚さを有する中央部分１７０８を有することができる。ただし、これらの範囲外の厚さが使用されてもよい。レンズブランクボディ１７００の表面は、本明細書で論じられるように、球又はドーナツ形などのその他の形状に適合することもできる。
【００９２】
ブロック１６０４では、レンズブランクボディにハードコートが施される。レンズブランクボディは、引き続き熱硬化可能なポリシロキサン材料に浸すことができる。熱硬化されたハードコートは、３Ｄレンズに一般的に使用されているＵＶ硬化性ハードコートよりも硬く、且つかき傷又は汚れに強くなる。ハードコートは、少なくとも約１５０°Ｆ（およそ６６℃）、且つ／又は約２６０°Ｆ（およそ１２７℃）以下の温度で、高温硬化の場合の２時間半程度から低温硬化の場合の約８時間の時間にわたって熱硬化可能である。ただし、実施形態によっては、これらの範囲外の値が使用されてもよい。ハードコートは、円偏光子が施される前に熱硬化可能であるゆえに、ハードコートを硬化させるために使用される熱に、円偏光子が曝されることはない。
【００９３】
ブロック１６０６では、レンズブランクボディ１７００の前面１７０２のハードコートにコロナ処理を施すことができる。図１８Ａ〜Ｃは、その第１の側１８１０と第２の側１８１２との間で一連のクリップ１８０４を運ぶように構成されたコンベヤベルト１８０２を含むコロナ処理システム１８０４の実施形態の一例を示している。コンベヤベルト１８０２は、コンベヤベルト１８０２の両端にあるターン部材１８１６の周囲を回ることができるように互いに枢動式につながれた複数のリンク部材１８１４を含むことができる。コンベヤベルト１８０２の第１の側１８１０に処理前のレンズブランクボディ１７００を取り付け、コンベヤベルト１８０２の第２の側１８１２から処理後のレンズブランクボディ１７００を取り外すことができるように、リンク部材１８１４の一部は、クリップ１８０４を有することができる。ただし、コンベヤベルト１８０２の方向は、処理前のレンズブランクボディが第２の側１８１２に取り付けられるように、逆転させることも可能である。コンベヤベルト１８０２は、レンズブランクボディ１７００がシステム１８００のコロナ処理１８０６センタを通ることができるように、モータによって駆動することができる。コロナ処理センタ１８０６は、レンズブランクボディ１７００の上部にコロナ処理を施すように位置決めされた第１のコロナヘッド１８０８Ａと、レンズブランクボディ１７００の下部にコロナ処理を施すように位置決めされた第２のコロナヘッド１８０８Ｂとを含むことができる。一部の実施形態では、実質的にレンズブランクボディ１７００の前面全体にコロナ処理を施すために、１つのコロナヘッドを使用することができる。
【００９４】
多くのヴァリエーションが可能である。一部の実施形態では、レンズブランクボディ１７００に手でコロナ処理を施すために、手持ち式のコロナ処理ヘッドを使用することができる。コロナ処理は、表面張力を引き下げて、レンズブランクボディ１７００の前面（例えばそこに施されたハードコート）の接合特性を向上させることができる。レンズブランクボディと円偏光子との間の接合特性の向上には、紫外線（ＵＶ）光処理、オゾン処理、及び水酸化ナトリウム（ＮａＯＨ）処理などのその他の表面処理を使用することも可能である。
【００９５】
ブロック１６０８では、レンズブランクボディに円偏光子が積層される。図１９は、レンズブランクボディ１７００（例えばその上に被覆されたハードコート）に膜（例えば円偏光子１９０２）を積層させるための積層システム１９００の一例を示している。積層システム１９００は、トラック１９０６の上を滑ることができる滑動部材１９０４を含むことができる。滑動部材１９０４は、レンズブランクボディ１７００を受けることができるレンズブランクボディホルダ１９０８を有することができ、円偏光膜１９０２の直線偏光層の透過軸をレンズブランクボディ１７００の直線（非湾曲）軸に約５°未満、又は約３°未満、又は約１°未満の方向付け変動角で実質的に方向付けられた状態でレンズブランクボディ１７００と円偏光膜１９０２とが位置合わせされるように、円偏光膜１９０２を受けることができる。もし、円偏光子１９０２がレンズブランクボディ１７００と正確に位置合わせされず、レンズブランクボディ１７００の曲率が円偏光子１９０２の直線偏光層の透過軸に作用するならば、直線偏光子の効率は低下し、これは、３Ｄ鑑賞中に右眼画像と左眼画像との間にクロストークを発生させる色ずれや無効な画像フィルタリングなどの歪みを引き起こす恐れがある。
【００９６】
レンズブランクボディ１７００又は円偏光膜１９０２には、接着剤を施すことができる。接着剤は、実質的に光学的に透明であってよい。感圧性の接着剤が使用されてよく、該接着剤は、積層後にレンズブランクボディ１７００と円偏光膜１９０２との間に配されるように、巻き付ける、吹き付ける、又はそれ以外の形で表面に施すことが可能である。その他のタイプの接着剤が使用されてもよい。例えば、ＵＶ硬化性接着剤、又は溶剤接合が使用されてよい。
【００９７】
滑動部材１９０４は、ユーザが滑動部材１９０４をトラック１９０６に沿って押してレンズブランクボディ１７００をローラ１９１２Ａ及び１９１２Ｂに接触させるために使用することができるハンドル１９１０を含むことができる。レンズブランクボディ１７００及び円偏光膜１９０２をローラ１９１２Ａと１９１２Ｂとの間に供給するために、１つ又は２つ以上のモータ１９１４が、上部ローラ１９１２Ａ及び／又は下部ローラ１９１２Ｂを回転させることができる。ローラ１９１２Ａ及び１９１２Ｂは、レンズブランクボディ１７００と円偏光膜１９０２との間における実質的に一様な接着のために、ブランクの凹表面及び膜１９０２の凸表面の全体に実質的に均等に分布された圧力を加えるように構成することができる。
【００９８】
一部の実施形態では、ローラ１９１２Ａ及び１９１２Ｂの位置は、固定されてよく、ローラ１９１２Ａと１９１２Ｂとの間の隙間は、レンズブランクボディ１７００、接着剤層、及び円偏光膜１９０２がローラ１９１２Ａと１９１２Ｂとの間の隙間に通されるのに伴ってそれらの層に圧力が加えられるように、それらの層の厚さよりも小さいことが可能である。一部の実施形態では、ローラ１９１２Ａ及び１９１２Ｂは、隙間にレンズが通されるときに圧縮する圧縮性材料を含むことができる。一部の実施形態では、ローラ１９１２Ａ及び１９１２Ｂの一方又は両方の位置が可変であり、少なくとも１つのバネ又はその他の付勢部材が、ローラ１９１２Ａ及び１９１２Ｂを互いに向かって付勢することができる。例示された図１９の実施形態では、積層の際に上部ローラ１９１２Ａの軸棒１９１６が下部ローラ１９１２Ｂから離れ、積層中に実質的に一様な圧力がレンズに加えられるように、バネが上部ローラ１９１２Ａを下部ローラ１９１２Ｂに向かって付勢することができる。
【００９９】
図１９に示された積層システム１９００は、図に示されるように円柱形レンズを積層させるために使用可能であるように、ローラ１９１２Ａと１９１２Ｂとの間に直線状の隙間を有しているが、その他の構成も可能である。例えば、ローラ１９１２Ａ及び１９１２Ｂは、それらの間にドーナツ形又は球形のレンズが通されることに適応するために、湾曲し
ていることが可能である。
【０１００】
ブロック１６１０では、レンズブランクを圧力ポットに入れることができ、積層されたレンズブランクからあらゆる残りの空気を押し出すとともにレンズブランク及び膜に一様な圧力を加えることによって接着を向上させるために圧力を加えることができる。圧力ポットは、少なくとも約２５ｐｓｉの、好ましくは少なくとも約５０ｐｓｉの昇圧を少なくとも３０分間にわたって、一プロセスでは約７５ｐｓｉの圧力を約６０分間にわたって加えることができる。ただし、その他の値が使用されてもよい。
【０１０１】
ブロック１６１２では、積層されたレンズブランクから１枚又は２枚以上のレンズがカットされてよい。レンズブランクからのレンズのカットには、３軸のＣＮＣフライスマシンを使用することができる。一部の実施形態では、レンズの縁を斜めに切って、アイウェアへのレンズの装着を促すとともにアイウェアにおける保持力を高めることができる。縁の直角カットが使用されてもよい。右レンズと左レンズとで、異なる円偏光子を使用することができるので、右レンズ及び左レンズは、異なるレンズブランクからカットすることができる。場合によっては、左レンズブランクから複数の左レンズをカットし、右レンズブランクから複数の右レンズをカットすることができる。
【０１０２】
図２０は、円柱の表面に適合する前面２００２及び後面２００４を有し尚且つ本明細書で開示されたその他のレンズブランクと多くの点で同様又は同じであるレンズブランク２０００を例示している。レンズブランク２０００の機械的中心線、頂点、すなわち最も厚い部分は、線２００６によって示されている。図２０に示された実施形態では、レンズブランク２０００は、軸２００６を挟んで対称的ではない。レンズブランク２０００からは、複数の右レンズ２００８Ａ及び２００８Ｂをカットすることができる。第２の右レンズ２００８Ｂは、第１の右レンズ２００８Ａと同じ形状を有することができ、第２の右レンズ２００Ｂが第１の右レンズ２００８Ａの真下に位置する場所からカットされるように、水平軸に沿って第１の右レンズ２００８Ａと同じ位置からカットすることができる。第１の右レンズ２００８Ａ上及び第２の右レンズ２００８Ｂ上における対応する点は、垂直軸２００６から同じ水平距離だけ離れている。例示されたレンズブランク２０００は、レンズブランク２０００から２枚のレンズがカットされることを示しているが、レンズブランクのサイズ次第では、同じレンズブランクから更に追加のレンズがカットされてよい。実施形態によっては、１つのレンズブランク２０００から、形状の異なる複数の右レンズをカットすることができる。左レンズは、右レンズブランク２０００と形状は同じだが偏光の向きが異なる円偏光子を有する左レンズブランクから同様にカットすることができる。
【０１０３】
図２１は、円柱の表面に適合する前面２１０２及び後面２１０４を有し尚且つ本明細書で開示されたその他のレンズブランクと多くの点で同様又は同じであるレンズブランク２１００を例示している。レンズブランク２１００の機械的中心線、頂点、すなわち最も厚い部分は、線２１０６によって示されている。図２１に示された実施形態では、レンズブランク２１００は、軸２１０６を挟んで対称的である。レンズブランク２１００からは、複数の右レンズ２１０８Ａ及び２１０８Ｂをカットすることができる。第２の右レンズ２１０８Ｂは、第１の右レンズ２１０８Ａと同じ形状を有することができ、第１の右レンズ２１０８Ａを上下逆さまにしたものであってよい。第１の右レンズ２１０８Ａ上及び第２の右レンズ２１０８Ｂ上における対応する点は、垂直軸２１０６から同じ水平距離だけ、ただし逆方向に、離れている。一部の実施形態では、第１の右レンズ２１０８Ａの半分以上が、垂直軸２１０６の第１の側にあり、第２の右レンズ２１０８Ｂの半分以上が、垂直軸２１０６の第２の側にある。第１のレンズ２００８Ａの機械的中心点２０１０Ａは、軸２１０６の右側に位置決めすることができ、第２のレンズ２００８Ｂの機械的中心点２０１０Ｂは、軸２１０６の左側に位置決めすることができ、これら２つの中心点２０１０Ａ及び２０１０Ｂは、軸２１０６から水平方向に実質的に等距離に位置することができる。
右レンズブランク２１００は、垂直軸２１０６を挟んで対称的であるので、第２の右レンズ２１０８Ｂは、第１の右レンズ２１０８Ａに相対的に約１８０°回転されていることを除いて、形状、曲率、及び厚さ（例えば先細り）において第１の右レンズ２１０８Ａと実質的に同じである。例示されたレンズブランク２１００は、レンズブランク２１００から２枚のレンズがカットされることを示しているが、レンズブランクのサイズ次第では、同じレンズブランクから更に追加のレンズがカットされてよい。実施形態によっては、１つのレンズブランク２１００から、形状の異なる複数の右レンズをカットすることができる。左レンズは、右レンズブランク２００と形状は同じだが偏光の向きが異なる円偏光子を有する左レンズブランクから、同様にカットすることができる。
【０１０４】
ブロック１６１４では、３Ｄレンズは、３Ｄアイウェアを作成するためにフレームに取り付けられる。一部の実施形態にしたがったレンズは、少なくとも１／４ジオプタ又は３／１６ジオプタの低さの、多くの場合、約１／８ジオプタ未満の、プリズム歪みを示す。一部の実施形態では、プリズム歪みは、約１／１６ジオプタ未満、又は約１／３２ジオプタ未満である。一部の実施形態にしたがったレンズの屈折力及び非点収差もやはり、低い。屈折力及び非点収差もやはり、それぞれ、少なくとも１／４ジオプタ又は３／１６ジオプタの低さであり、約１／８ジオプタ未満、約１／１６ジオプタ未満、又は約１／３２ジオプタ未満であることが可能である。一部の実施形態では、本明細書で開示される３Ｄレンズは、少なくとも約２０ラインの精細度パターン分解能を保持することができる。
【０１０５】
本明細書で開示される３Ｄレンズは、高い偏光効率を有することができる。一部の実施形態では、高い偏光効率は、本明細書で開示される３Ｄレンズが有する以下の特徴のうちの１つ又は２つ以上に帰することができる。すなわち、湾曲３Ｄレンズは、円偏光子を熱に曝すことなく組み立て可能であることによって、円偏光子を構成する直線偏光子及び４分の１波長板の完全性を維持することができる。従来の湾曲偏光レンズには、レンズに熱が加えられることによって、円偏光子の偏光効率の低下を招く恐れがあるものがある。また、本明細書で開示される一部の実施形態では、レンズは、一方向（例えば水平軸沿い）にのみ湾曲し、もう一方向（例えば垂直軸沿い）には直線状であり、円偏光子は、直線偏光子の透過軸が非湾曲直線方向に実質的に方向付けられるように、位置合わせすることができる。また、円偏光子をレンズの前方端に配することによって、円偏光子は、レンズのその他の層が収差を導入する又はレンズの偏光効率を低下させる恐れがあるそれ以外のやり方で光を変化させる前に、光を受け取ることができる。一部の実施形態では、レンズは、少なくとも約９８％、好ましくは少なくとも約９９．０％、又は少なくとも約９９．５％の、そして一実施形態では少なくとも９９．７％の、偏光効率を有することができる。偏光効率は、また、水平方向及び垂直方向の両方の広い角度範囲にわたる軸外鑑賞において一定であることができる。したがって、着用者は、偏光効率の著しい損失及び右眼画像と左眼画像との間のクロストークに見舞われることなく、着用者の正常な視線からずれた角度で３Ｄ画像を鑑賞することができ、レンズの曲率は、従来の平面レンズよりも広範囲にわたる着用者の周辺視野を網羅するとともに、優れた美観上のスタイルを提供することができる。レンズは、約２００から約７００までの範囲のコントラスト比（暗状態対明状態）と、約１２５ｎｍ±１０ｎｍの遅延値とを有するだろう。特定の実施形態では、％Ｔは、約３８％から約４７％までの範囲であり、１回のパス（レンズのみ）対相対するＬ／Ｒ円偏光子のスペクトル比は、約４００〜１００又はそれ以上であり、直線偏光子対４分の１波長板の角度値は、左が約−４５°±２°で右が約１３５°±２°である。
【０１０６】
本開示は、３Ｄアイウェアのためのレンズに関する各種の特徴を説明しており、そのただの１つとして、本明細書で説明された利点に対して単独で責任を負うものではない。当業者にならば明らかであるように、本明細書で説明された各種の特徴は、組み合わせる、変更する、又は省略することが可能である。本明細書で具体的に説明されたものと異なる組み合わせ及び小組み合わせも、本開示の一部を構成することを意図される。本明細書で
は、各種のフローチャートのステップとの関連で、各種の方法が説明されている。多くの場合、フローチャートのなかで別々のステップとして示されている複数のステップを１つのステップとして実施することができるように、特定のステップを組み合わせることが可能である。同様に、別々に実施されるように、特定のステップを小ステップに分割することも可能である。場合によっては、ステップの順序を並べ替えたり、特定のステップをまるごと省略したりすることができる。また、本明細書で説明される方法は、本明細書で具体的に説明されたステップに加えて追加のステップを含む方法も含むものとして理解される。
【０１０７】
本発明は、特定の実施形態の観点から説明されてきたが、当業者にならば、本明細書の開示内容を踏まえてその他の実施形態が明らかになるだろう。したがって、本発明の範囲は、これらの実施形態の記載によって限定されることを意図されず、添付の特許請求の範囲を参照にすることによってのみ定められることを意図される。
【図１】
2013518301.tif 000006
【図２Ａ】
2013518301.tif 000007
【図２Ｂ】
2013518301.tif 000008
【図３】
2013518301.tif 000009
【図４】
2013518301.tif 000010
【図５】
2013518301.tif 000011
【図６】
2013518301.tif 000012
【図７Ａ】
2013518301.tif 000013
【図７Ｂ】
2013518301.tif 000014
【図８Ａ】
2013518301.tif 000015
【図８Ｂ】
2013518301.tif 000016
【図９】
2013518301.tif 000017
【図１０Ａ】
2013518301.tif 000018
【図１０Ｂ】
2013518301.tif 000019
【図１０Ｃ】
2013518301.tif 000020
【図１１】
2013518301.tif 000021
【図１１Ａ】
2013518301.tif 000022
【図１２】
2013518301.tif 000023
【図１２Ａ】
2013518301.tif 000024
【図１３】
2013518301.tif 000025
【図１４】
2013518301.tif 000026
【図１５】
2013518301.tif 000027
【図１６】
2013518301.tif 000028
【図１７Ａ】
2013518301.tif 000029
【図１７Ｂ】
2013518301.tif 000030
【図１８Ａ】
2013518301.tif 000031
【図１８Ｂ】
2013518301.tif 000032
【図１８Ｃ】
2013518301.tif 000033
【図１９】
2013518301.tif 000034
【図２０】
2013518301.tif 000035
【図２１】
2013518301.tif 000036
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
３Ｄアイウェアに使用するためのレンズであって、
第１の軸に沿って湾曲され尚且つ第２の軸に沿って実質的に直線状である表面を有するレンズボディと、
前記レンズボディの前記表面に付けられた円偏光子と、
備えるレンズ。
【請求項２】
請求項１に記載のレンズであって、
前記第２の軸は、前記第１の軸から約９０°ずれている、レンズ。
【請求項３】
請求項１に記載のレンズであって、
前記円偏光子は、４分の１波長板と、直線偏光子とを含み、
前記直線偏光子は、透過軸を有し、前記透過軸は、前記レンズボディの前記第２の軸に実質的に平行に方向付けられる、レンズ。
【請求項４】
請求項１に記載のレンズであって、更に、
前記レンズボディと前記円偏光子との間に配されるハードコートを備え、
前記円偏光子は、前記ハードコートと前記円偏光子との間に配される接着剤によって前記ハードコートに積層され、
前記ハードコートは、積層前に前記ハードコートの表面張力を引き下げるために、コロナ放電によって処理される、レンズ。
【請求項５】
請求項１に記載のレンズであって、更に、
前記レンズボディと前記円偏光子との間に配されるハードコートを備え、
前記ハードコートは、熱硬化されたポリシロキサンを含む、レンズ。
【請求項６】
請求項１に記載のレンズであって、
前記レンズボディは、前面及び後面を含み、前記円偏光子は、前記レンズボディの前記前面に付けられる、レンズ。
【請求項７】
請求項６に記載のレンズであって、
前記円偏光子は、３Ｄ鑑賞中に画像の光が前記レンズのその他のどの層よりも先に前記円偏光子にぶつかるように、前記レンズの最前方の層である、レンズ。
【請求項８】
請求項１に記載のレンズであって、
前記レンズボディは、前面及び後面を含み、前記前面は、第１の中心を有する前方円柱の表面に適合し、前記後面は、第２の中心を有する後方円柱の表面に適合し、前記第２の中心は、前記レンズボディの厚さが前記第１の軸に沿って先細るように、前記第１の中心からずらされている、レンズ。
【請求項９】
請求項８に記載のレンズであって、更に、
前記レンズを支えるアイウェアフレームを備え、前記第１の中心と前記第２の中心との間に引かれた線は、前記レンズのための光学的中心線を提供し、前記レンズは、着用者の視線が前記光学的中心線に実質的に平行になるように尚且つ前記着用者の前記視線が前記光学的中心線からずれるように、前記アイウェアフレームにおいて位置決めされる、レンズ。
【請求項１０】
レンズを形成する方法であって、
第１の軸に沿って湾曲し尚且つ第２の軸に沿って実質的に直線状であるレンズブランクボディを提供することと、
円偏光子を提供することと、
前記円偏光子を前記レンズブランクボディの前記表面に積層させることと、
を備える方法。
【請求項１１】
請求項１０に記載の方法であって、更に、
前記レンズブランクボディにハードコートを施すことと、
前記ハードコートを熱硬化させることと、
を備え、前記円偏光子は、接着剤を使用して前記ハードコートに積層される、方法。
【請求項１２】
請求項１０に記載の方法であって、更に、
積層前に前記レンズブランクボディの前記表面にコロナ処理を施すことを備える方法。
【請求項１３】
請求項１０に記載の方法であって、更に、
前記円偏光子を上に積層された前記レンズブランクボディを圧力ポットに入れることと、
前記圧力ポットを使用して、前記レンズブランクボディ及び前記円偏光子に圧力を加えることと、
を備える方法。
【請求項１４】
請求項１３に記載の方法であって、
前記圧力は、約５０ｐｓｉから約１００ｐｓｉまでの間である、方法。
【請求項１５】
請求項１０に記載の方法であって、更に、
前記レンズブランクボディ及びその上に積層された前記円偏光子をカットして、第１のレンズ及び第２のレンズを形成することを備え、前記第１及び第２のレンズは、ともに、右レンズとして使用されるように構成され、前記第１及び第２のレンズがカットされるときに、前記第２のレンズの向きは、前記第１のレンズの向きから約１８０°ずらされる、方法。
【請求項１６】
請求項１５に記載の方法であって、
前記レンズブランクボディは、非一様な厚さと、前記第２の軸に実質的に平行な対称軸とを有し、前記第１のレンズの中心点は、前記対称軸の第１の側に位置決めされ、前記第２のレンズの中心点は、前記対称軸の第２の側に位置決めされ、前記第１及び第２のレン
ズの前記中心点は、前記第１及び第２のレンズが実質的に同じ先細った厚さを有するように、前記対称軸から実質的に等距離にある、方法。
【国際調査報告】
2013518301.tif 000037